(57)【要約】無線通信方法および装置が提供される。方法は：端末装置によって、第一のチャネルまたは第一の信号のために第一の時間単位内で使用されるN個の第一ポートに基づいて、第二のチャネルまたは第二の信号のために前記第一の時間単位内で使用されるM個の第二ポートを決定する段階であって、T≧N≧1、T≧M≧1であり、Tは信号送信中に前記端末装置によって同時に使用可能なポートの最大数である、段階と；前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る段階とを含む。このようにして、無線通信パフォーマンスが改善できる。
2019530263.tif 000002
【特許請求の範囲】
【請求項１】
無線通信方法であって、当該方法は：
端末装置によって、第一のチャネルまたは第一の信号のために第一の時間単位内で使われるN個の第一ポートに基づいて、第二のチャネルまたは第二の信号のために前記第一の時間単位内で使われるM個の第二ポートを決定する段階であって、T≧N≧1、T≧M≧1であり、Tは送信中に前記端末装置によって同時に使用可能なポートの最大数である、段階と；
前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る段階とを含む、
方法。
【請求項２】
当該方法がさらに：
前記端末装置によって、少なくとも二つの第一ポート群を決定する段階であって、各第一ポート群は、前記第一のチャネルまたは前記第一の信号のために使われる少なくとも一つのポートを含み、各第一ポート群に含まれるポートの数は前記最大数T以下である、段階と；
前記端末装置によって、少なくとも二つの第二ポート群を決定する段階であって、各第二ポート群は、前記第二のチャネルまたは前記第二の信号のために使われる少なくとも一つのポートを含み、各第二ポート群に含まれるポートの数は前記最大数T以下である、段階と；
前記端末装置によって、マッピング関係情報を取得する段階であって、前記マッピング関係情報は、前記少なくとも二つの第一ポート群と前記少なくとも二つの第二ポート群との間の一対一対応を示すために使われる、段階とを含み；
端末装置によって、第一のチャネルまたは第一の信号のために第一の時間単位内で使われるN個の第一ポートに基づいて、第二のチャネルまたは第二の信号に前記第一の時間単位内で対応するM個の第二ポートを決定する前記段階は：
前記端末装置によって、前記少なくとも二つの第一ポート群から目標第一ポート群を決定する段階であって、前記N個の第一ポートは同じポート群に属し、前記目標第一ポート群は前記N個の第一ポートを含む、段階と；
前記端末装置によって、前記マッピング関係情報に基づいて、前記少なくとも二つの第二ポート群から、前記目標第一ポート群に対応する目標第二ポート群を決定する段階と；
前記端末装置によって、前記目標第二ポート群から前記M個の第二ポートを決定する段階とを含む、
請求項１記載の方法。
【請求項３】
当該方法がさらに：
前記端末装置によって、ネットワーク装置によって送られた、前記第二のチャネルまたは前記第二の信号についての信号情報を受信する段階であって、前記信号情報は前記M個の第二ポートに基づいて前記ネットワーク装置によって決定されたものである、段階を含み；
前記端末装置によって、前記第一の時間単位内に、前記第二のチャネルまたは前記第二の信号を前記M個の第二ポートを使って送ることは：
前記端末装置によって、前記第一の時間単位内に、前記第二のチャネルまたは前記第二の信号を前記M個の第二ポートを使って前記信号情報に基づいて送ることを含む、
請求項１または２記載の方法。
【請求項４】
当該方法がさらに：
前記端末装置によって、第一の指示情報を前記ネットワーク装置に送る段階を含み、前記第一の指示情報は、チャネルまたは信号の送信の間に前記端末装置によって同時に使用可能なポートの前記最大数Tを示すために使われる、
請求項１ないし３のうちいずれか一項記載の方法。
【請求項５】
当該方法がさらに：
前記端末装置によって、前記ネットワーク装置によって送られた第二の指示情報を受信する段階であって、前記第二の指示情報は、前記N個の第一ポートを示すために使われる、段階と；
前記端末装置によって、前記第二の指示情報に基づいて前記N個の第一ポートを決定する段階とを含む、
請求項１ないし４のうちいずれか一項記載の方法。
【請求項６】
前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る前記段階は：
前記端末装置によって、前記第一の時間単位の第一の時間期間内に、前記第一のチャネルまたは前記第一の信号を前記N個の第一ポートを使って送り、前記端末装置によって、前記第一の時間単位の第二の時間期間内に、前記第二のチャネルまたは前記第二の信号を前記M個の第二ポートを使って送ることを含む、
請求項１ないし５のうちいずれか一項記載の方法。
【請求項７】
前記第一の時間期間および／または前記第二の時間期間の前に、事前設定された保護区間がある、請求項６記載の方法。
【請求項８】
前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る前記段階は：
前記端末装置によって、前記第一の時間単位内に、前記第一のチャネルまたは前記第一の信号を前記N個の第一ポートを使って第一の周波数帯域で、前記第二のチャネルまたは前記第二の信号を前記M個の第二ポートを使って第二の周波数帯域で送ることを含む、
請求項１ないし７のうちいずれか一項記載の方法。
【請求項９】
前記第一の信号が探測参照信号SRSであり、前記第二のチャネルが物理上りリンク・データ・チャネルPUSCHまたは物理上りリンク制御チャネルPUCCHである；または
前記第一のチャネルがPUSCHまたはPUCCHであり、前記第二の信号がSRSである、
請求項１ないし８のうちいずれか一項記載の方法。
【請求項１０】
一つの時間単位は少なくとも一つのサブフレームを含む；または
一つの時間単位は少なくとも一つの時間スロットを含む；または
一つの時間単位は少なくとも一つのシンボルを含む、
請求項１ないし９のうちいずれか一項記載の方法。
【請求項１１】
無線通信方法であって、当該方法は：
ネットワーク装置によって、端末装置の第一のチャネルまたは第一の信号のために第一の時間単位内で使われるN個の第一ポートに基づいて、前記端末装置の第二のチャネルまたは第二の信号のために前記第一の時間単位内で使われるM個の第二ポートを決定する段階であって、T≧N≧1、T≧M≧1であり、Tは送信中に前記端末装置によって同時に使用可能なポートの最大数である、段階と；
前記ネットワーク装置によって、前記M個の第二ポートに基づいて、前記第二のチャネルまたは前記第二の信号についての信号情報を決定する段階と；
前記ネットワーク装置によって、前記信号情報を前記端末装置に送る段階と；
前記端末装置によって送られた前記第一のチャネルまたは前記第一の信号および前記端末装置によって送られた前記第二のチャネルまたは前記第二の信号を、前記ネットワーク装置によって、前記第一の時間単位内に受信する段階であって、前記第一のチャネルまたは前記第一の信号は前記端末装置によって前記N個の第一ポートを使って送られ、前記第二のチャネルまたは前記第二の信号は前記端末装置によって前記M個の第二ポートを使って前記信号情報に基づいて送られる、段階とを含む、
方法。
【請求項１２】
当該方法がさらに：
前記ネットワーク装置によって、少なくとも二つの第一ポート群を決定する段階であって、各第一ポート群は、前記第一のチャネルまたは前記第一の信号のために使われる、前記端末装置の少なくとも一つのポートを含み、各第一ポート群に含まれるポートの数は前記最大数T以下である、段階と；
前記ネットワーク装置によって、少なくとも二つの第二ポート群を決定する段階であって、各第二ポート群は、前記第二のチャネルまたは前記第二の信号のために使われる、前記端末装置の少なくとも一つのポートを含み、各第二ポート群に含まれるポートの数は前記最大数T以下である、段階と；
前記端末装置によって、マッピング関係情報を取得する段階であって、前記マッピング関係情報は、前記少なくとも二つの第一ポート群と前記少なくとも二つの第二ポート群との間の一対一対応を示すために使われる、段階とを含み、
ネットワーク装置によって、端末装置の第一のチャネルまたは第一の信号のために第一の時間単位内で使われるN個の第一ポートに基づいて、前記端末装置の第二のチャネルまたは第二の信号のために前記第一の時間単位内で使われるM個の第二ポートを決定する前記段階は：
前記ネットワーク装置によって、前記少なくとも二つの第一ポート群から目標第一ポート群を決定する段階であって、前記N個の第一ポートは同じポート群に属し、前記目標第一ポート群は前記N個の第一ポートを含む、段階と；
前記ネットワーク装置によって、前記マッピング関係情報に基づいて、前記少なくとも二つの第二ポート群から、前記目標第一ポート群に対応する目標第二ポート群を決定する段階と；
前記ネットワーク装置によって、前記目標第二ポート群から前記M個の第二ポートを決定する段階とを含む、
請求項１１記載の方法。
【請求項１３】
当該方法がさらに：
前記ネットワーク装置によって、前記端末装置によって送られた第一の指示情報を受信する段階であって、前記第一の指示情報は、チャネルまたは信号の送信の間に前記端末装置によって同時に使用可能なポートの前記最大数Tを示すために使われる、段階と；
前記ネットワーク装置によって、前記第一の指示情報に基づいて前記最大数Tを決定する段階とを含む、
請求項１１または１２記載の方法。
【請求項１４】
当該方法がさらに：
前記ネットワーク装置によって、第二の指示情報を前記端末装置に送る段階であって、前記第二の指示情報は、前記N個の第一ポートを示すために使われる、段階を含む、
請求項１１ないし１３のうちいずれか一項記載の方法。
【請求項１５】
前記ネットワーク装置によって、前記第一の時間単位内に、前記端末装置によって送られた前記第一のチャネルまたは前記第一の信号および前記端末装置によって送られた前記第二のチャネルまたは前記第二の信号を受信する前記段階は：
前記ネットワーク装置によって、前記第一の時間単位の第一の時間期間内に、前記第一のチャネルまたは前記第一の信号を受信し、前記ネットワーク装置によって、前記第一の時間単位の第二の時間期間内に前記第二のチャネルまたは前記第二の信号を受信することを含む、
請求項１１ないし１４のうちいずれか一項記載の方法。
【請求項１６】
前記第一の時間期間および／または前記第二の時間期間の前に、事前設定された保護区間がある、請求項１５記載の方法。
【請求項１７】
前記端末装置によって送られた前記第一のチャネルまたは前記第一の信号および前記端末装置によって送られた前記第二のチャネルまたは前記第二の信号を、前記ネットワーク装置によって、前記第一の時間単位内に受信する段階は：
前記ネットワーク装置によって、前記第一の時間単位内に、前記第一のチャネルまたは前記第一の信号を第一の周波数帯域で、前記第二のチャネルまたは前記第二の信号を第二の周波数帯域で受信することを含む、
請求項１１ないし１６のうちいずれか一項記載の方法。
【請求項１８】
前記第一の信号が探測参照信号SRSであり、前記第二のチャネルが物理上りリンク・データ・チャネルPUSCHまたは物理上りリンク制御チャネルPUCCHである；または
前記第一のチャネルがPUSCHまたはPUCCHであり、前記第二の信号がSRSである、
請求項１１ないし１７のうちいずれか一項記載の方法。
【請求項１９】
一つの時間単位は少なくとも一つのサブフレームを含む；または
一つの時間単位は少なくとも一つの時間スロットを含む；または
一つの時間単位は少なくとも一つのシンボルを含む、
請求項１１ないし１８のうちいずれか一項記載の方法。
【請求項２０】
無線通信装置であって、当該装置は：
第一のチャネルまたは第一の信号のために第一の時間単位内で使われるN個の第一ポートに基づいて、第二のチャネルまたは第二の信号のために前記第一の時間単位内で使われるM個の第二ポートを決定するよう構成された決定ユニットであって、T≧N≧1、T≧M≧1であり、Tは送信中に前記端末装置によって同時に使用可能なポートの最大数である、決定ユニットと；
前記第一の時間単位内に、前記第一のチャネルまたは前記第一の信号を前記N個の第一ポートを使って送り、前記第一の時間単位内に、前記第二のチャネルまたは前記第二の信号を前記M個の第二ポートを使って送るよう構成されている通信ユニットとを有する、
装置。
【請求項２１】
前記決定ユニットは：少なくとも二つの第一ポート群を決定する段階であって、各第一ポート群は、前記第一のチャネルまたは前記第一の信号のために使われる少なくとも一つのポートを含み、各第一ポート群に含まれるポートの数は前記最大数T以下である、段階と；
少なくとも二つの第二ポート群を決定する段階であって、各第二ポート群は、前記第二のチャネルまたは前記第二の信号のために使われる少なくとも一つのポートを含み、各第二ポート群に含まれるポートの数は前記最大数T以下である、段階と；
マッピング関係情報を取得する段階であって、前記マッピング関係情報は、前記少なくとも二つの第一ポート群と前記少なくとも二つの第二ポート群との間の一対一対応を示すために使われる、段階と；
前記少なくとも二つの第一ポート群から目標第一ポート群を決定する段階であって、前記N個の第一ポートは同じポート群に属し、前記目標第一ポート群は前記N個の第一ポートを含む、段階と；
前記マッピング関係情報に基づいて、前記少なくとも二つの第二ポート群から、前記目標第一ポート群に対応する目標第二ポート群を決定する段階と；
前記目標第二ポート群から前記M個の第二ポートを決定する段階とを実行するよう構成されている、
請求項２０記載の装置。
【請求項２２】
前記通信ユニットは：ネットワーク装置によって送られた、前記第二のチャネルまたは前記第二の信号についての信号情報を受信する段階であって、前記信号情報は前記M個の第二ポートに基づいて前記ネットワーク装置によって決定されたものである、段階と；
前記第一の時間単位内に、前記第二のチャネルまたは前記第二の信号を前記M個の第二ポートを使うことによって前記信号情報に基づいて送る段階とを実行するよう構成されている、
請求項２０または２１記載の装置。
【請求項２３】
前記通信ユニットは、第一の指示情報を前記ネットワーク装置に送るよう構成され、前記第一の指示情報は、チャネルまたは信号の送信の間に前記端末装置によって同時に使用可能なポートの前記最大数Tを示すために使われる、請求項２０ないし２２のうちいずれか一項記載の装置。
【請求項２４】
前記通信ユニットは、前記ネットワーク装置によって送られた第二の指示情報を受信するよう構成され、前記第二の指示情報は、前記N個の第一ポートを示すために使われ；
前記決定ユニットは、前記第二の指示情報に基づいて前記N個の第一ポートを決定するよう構成される、
請求項２０ないし２３のうちいずれか一項記載の装置。
【請求項２５】
前記通信ユニットは：前記第一の時間単位の第一の時間期間内に、前記第一のチャネルまたは前記第一の信号を前記N個の第一ポートを使って送り、前記第一の時間単位の第二の時間期間内に、前記第二のチャネルまたは前記第二の信号を前記M個の第二ポートを使って送るよう構成されている、請求項２０ないし２４のうちいずれか一項記載の装置。
【請求項２６】
前記第一の時間期間および／または前記第二の時間期間の前に、事前設定された保護区間がある、請求項２５記載の装置。
【請求項２７】
前記通信ユニットは：前記第一の時間単位内に、前記第一のチャネルまたは前記第一の信号を前記N個の第一ポートを使って第一の周波数帯域で、前記第二のチャネルまたは前記第二の信号を前記M個の第二ポートを使って第二の周波数帯域で送るよう構成されている、請求項２０ないし２６のうちいずれか一項記載の装置。
【請求項２８】
前記第一の信号が探測参照信号SRSであり、前記第二のチャネルが物理上りリンク・データ・チャネルPUSCHまたは物理上りリンク制御チャネルPUCCHである；または
前記第一のチャネルがPUSCHまたはPUCCHであり、前記第二の信号がSRSである、
請求項２０ないし２７のうちいずれか一項記載の装置。
【請求項２９】
一つの時間単位は少なくとも一つのサブフレームを含む；または
一つの時間単位は少なくとも一つの時間スロットを含む；または
一つの時間単位は少なくとも一つのシンボルを含む、
請求項２０ないし２８のうちいずれか一項記載の装置。
【請求項３０】
無線通信装置であって、当該装置は：
端末装置の第一のチャネルまたは第一の信号のために第一の時間単位内で使われるN個の第一ポートに基づいて、前記端末装置の第二のチャネルまたは第二の信号のために前記第一の時間単位内で使われるM個の第二ポートを決定する段階であって、T≧N≧1、T≧M≧1であり、Tは送信中に前記端末装置によって同時に使用可能なポートの最大数である、段階と；
前記M個の第二ポートに基づいて、前記第二のチャネルまたは前記第二の信号についての信号情報を決定する段階を実行するよう構成された決定ユニットと；
前記信号情報を前記端末装置に送る段階と；
前記端末装置によって送られた前記第一のチャネルまたは前記第一の信号および前記端末装置によって送られた前記第二のチャネルまたは前記第二の信号を、前記第一の時間単位内に受信する段階であって、前記第一のチャネルまたは前記第一の信号は前記端末装置によって前記N個の第一ポートを使って送られ、前記第二のチャネルまたは前記第二の信号は前記端末装置によって前記M個の第二ポートを使って前記信号情報に基づいて送られる、段階とを実行するよう構成された通信ユニットとを有する、
装置。
【請求項３１】
前記決定ユニットは：少なくとも二つの第一ポート群を決定する段階であって、各第一ポート群は、前記第一のチャネルまたは前記第一の信号のために使われる、前記端末装置の少なくとも一つのポートを含み、各第一ポート群に含まれるポートの数は前記最大数T以下である、段階と；
少なくとも二つの第二ポート群を決定する段階であって、各第二ポート群は、前記第二のチャネルまたは前記第二の信号のために使われる、前記端末装置の少なくとも一つのポートを含み、各第二ポート群に含まれるポートの数は前記最大数T以下である、段階と；
マッピング関係情報を取得する段階であって、前記マッピング関係情報は、前記少なくとも二つの第一ポート群と前記少なくとも二つの第二ポート群との間の一対一対応を示すために使われる、段階と；
前記少なくとも二つの第一ポート群から目標第一ポート群を決定する段階であって、前記N個の第一ポートは同じポート群に属し、前記目標第一ポート群は前記N個の第一ポートを含む、段階と；
前記マッピング関係情報に基づいて、前記少なくとも二つの第二ポート群から、前記目標第一ポート群に対応する目標第二ポート群を決定する段階と；
前記目標第二ポート群から前記M個の第二ポートを決定する段階とを実行するよう構成されている、
請求項３０記載の装置。
【請求項３２】
前記通信ユニットは、前記端末装置によって送られた第一の指示情報を受信するよう構成され、前記第一の指示情報は、チャネルまたは信号の送信の間に前記端末装置によって同時に使用可能なポートの前記最大数Tを示すために使われ；
前記決定ユニットは、前記第一の指示情報に基づいて前記最大数Tを決定するよう構成される、
請求項３０ないし３１のうちいずれか一項記載の装置。
【請求項３３】
前記通信ユニットは、第二の指示情報を前記端末装置に送るよう構成され、前記第二の指示情報は、前記N個の第一ポートを示すために使われる、請求項３０ないし３２のうちいずれか一項記載の装置。
【請求項３４】
前記通信ユニットは、前記第一の時間単位の第一の時間期間内に、前記第一のチャネルまたは前記第一の信号を受信し、前記第一の時間単位の第二の時間期間内に前記第二のチャネルまたは前記第二の信号を受信するよう構成されている、請求項３０ないし３３のうちいずれか一項記載の装置。
【請求項３５】
前記第一の時間期間および／または前記第二の時間期間の前に、事前設定された保護区間がある、請求項３４記載の装置。
【請求項３６】
前記通信ユニットは、前記第一の時間単位内に、前記第一のチャネルまたは前記第一の信号を第一の周波数帯域で、前記第二のチャネルまたは前記第二の信号を第二の周波数帯域で受信するよう構成されている、請求項３０ないし３５のうちいずれか一項記載の装置。
【請求項３７】
前記第一の信号が探測参照信号SRSであり、前記第二のチャネルが物理上りリンク・データ・チャネルPUSCHまたは物理上りリンク制御チャネルPUCCHである；または
前記第一のチャネルがPUSCHまたはPUCCHであり、前記第二の信号がSRSである、
請求項３０ないし３６のうちいずれか一項記載の装置。
【請求項３８】
一つの時間単位は少なくとも一つのサブフレームを含む；または
一つの時間単位は少なくとも一つの時間スロットを含む；または
一つの時間単位は少なくとも一つのシンボルを含む、
請求項３０ないし３７のうちいずれか一項記載の装置。
【発明の詳細な説明】
【技術分野】
【０００１】
本願は2016年7月5日に中国特許庁に出願された「無線通信方法および装置」と題する中国特許出願第201610525438.0号の優先権を主張するものである。同出願の内容はここに参照によってその全体において組み込まれる。
【０００２】
技術分野
本発明の実施形態は通信分野に、より詳細には無線通信方法および装置に関する。
【背景技術】
【０００３】
モバイル・インターネット技術および第四世代モバイル通信技術（the  4th  Generation  mobile  communication  technology、4G）の発達とともに、通信容量需要が急速に増しつつある。通信容量は、複数アンテナ技術を使うことにより下りリンク・フローを増すことによって、効果的に改善できる。下りリンク伝送品質を保証するために、端末装置は、該端末装置の諸ポートの探測参照信号（Sounding  Reference  Signal、SRS）をネットワーク装置に送り、ネットワーク装置はそれらのSRSに基づいて、それらのポートに対応するチャネルのチャネル状態を判別し、チャネルのチャネル状態に基づいて、下りリンク伝送を実行するためにチャネルを使う。ここで、一つのポートは一つのアンテナに対応してもよい。
【０００４】
一般に、ハードウェアによって制限されて、端末装置の送信チャネルの数（すなわち、信号送信の際に端末装置によって同時に使用可能なポートの最大数）は、受信チャネルの数（すなわち、信号受信の際に端末装置によって同時に使用可能なポートの最大数）より少ない。よって、端末装置は同時にすべてのアンテナを使ってSRSを送ることはできない。あるいは換言すれば、端末装置は同時にすべてのポートのSRSを送ることはできない。
【０００５】
現在、既知の無線通信技術では、端末装置は異なるポートのSRSを異なる上りリンク・シンボルにおいて送って、すべてのポートを横断する。
【０００６】
端末装置は八つのアンテナ（アンテナ0ないしアンテナ7と記される）をもつと想定される。換言すれば、端末装置は八つのポート（ポート0ないしポート7と記される）のSRSを送る必要がある。しかしながら、端末装置は四つの送信チャネルしかもたない。よって、端末装置は八つのSRSポートのSRSを、時分割式に送ってもよい。ここで、八つのアンテナは八つのポートと一対一対応にある。
【０００７】
図１に示されるように、ロングタームエボリューション（Long  Term  Evolution、LTE）システムを例として使うと、SRSは通例、一つの上りリンク・サブフレームの最後のシンボルに担持され、そのシンボルより前の（全部のまたは一部の）シンボルは物理上りリンク共有チャネル（Physical  Uplink  Shared  Channel、PUSCH）を担持するために使われる。ある上りリンク・サブフレームの送信機会において、端末装置は、ポート0ないしポート3のSRSを送ってもよい（換言すれば、端末装置はアンテナ0ないしアンテナ3を使ってSRSを送ってもよい）。別の上りリンク・サブフレームの送信機会において、端末装置は、ポート4ないしポート7のSRSを送ってもよい（換言すれば、端末装置はアンテナ4ないしアンテナ7を使ってSRSを送ってもよい）。このようにして、二つの送信機会を使うことによって、ネットワーク装置は端末装置の八つのポートすべてのSRSを受信できる。
【０００８】
さらに、LTEでは、最大で四つのPUSCHポートがサポートされる。たとえば上記のポート0ないし3（またはアンテナ0ないし3）である。つまり、PUSCHはポート0ないし3を使ってのみ送られることができる。
【０００９】
一般に、SRSおよびPUSCHは隣接しており、よって端末装置がポート4ないしポート7のSRSおよびPUSCHを同じ上りリンク・サブフレームにおいて送る必要があることがありうる。この場合、端末装置は送信アンテナ切り換えを実行する必要がある。送信アンテナ切り換えはSRS送信に影響することがあり、よって無線通信パフォーマンスに影響しうる。
【発明の概要】
【００１０】
本発明の実施形態は、無線通信パフォーマンスを改善するよう無線通信方法および装置を提供する。
【００１１】
第一の側面によれば、無線通信方法が提供される。本方法は：端末装置によって、第一のチャネルまたは第一の信号のために第一の時間単位内で使用されるN個の第一ポートに基づいて、第二のチャネルまたは第二の信号のために前記第一の時間単位内で使用されるM個の第二ポートを決定する段階であって、T≧N≧1、T≧M≧1であり、Tは送信中に前記端末装置によって同時に使用可能なポートの最大数である、段階と；前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る段階とを含む。
【００１２】
本発明のこの実施形態における無線通信方法によれば、第一のチャネルまたは第一の信号のために第一の時間単位内で使用される第一ポートが決定され、第二のチャネルまたは第二の信号のために前記第一の時間単位内で使用される第二ポートが、それらの第一ポートに基づいて決定される。それにより、第一ポートに対応するアンテナおよび第二ポートに対応するアンテナにおいて一つまたは複数の同じアンテナがあることがサポートされ、それにより第一のチャネルまたは第一の信号および第二のチャネルまたは第二の信号が前記第一の時間単位内に送られるときに送信アンテナ切り換えプロセスが必要とされないことがサポートされる。このようにして、無線通信パフォーマンスが改善される。
【００１３】
第一の側面のある可能な実装では、本方法はさらに：前記端末装置によって、少なくとも二つの第一ポート群を決定する段階であって、各第一ポート群は、第一のチャネルまたは第一の信号のために使われる少なくとも一つのポートを含み、各第一ポート群に含まれるポートの数は最大数T以下である、段階と；前記端末装置によって、少なくとも二つの第二ポート群を決定する段階であって、各第二ポート群は、第二のチャネルまたは第二の信号のために使われる少なくとも一つのポートを含み、各第二ポート群に含まれるポートの数は最大数T以下である、段階と；前記端末装置によって、マッピング関係情報を取得する段階であって、前記マッピング関係情報は、前記少なくとも二つの第一ポート群と前記少なくとも二つの第二ポート群との間の一対一対応を示すために使われる、段階とを含み、端末装置によって、第一のチャネルまたは第一の信号のために第一の時間単位内で使用されるN個の第一ポートに基づいて、第二のチャネルまたは第二の信号に、前記第一の時間単位内で対応するM個の第二ポートを決定する前記段階は、前記端末装置によって、前記少なくとも二つの第一ポート群から目標第一ポート群を決定する段階であって、前記N個の第一ポートは同じポート群に属し、前記目標第一ポート群は前記N個の第一ポートを含む、段階と；前記端末装置によって、前記マッピング関係情報に基づいて、前記少なくとも二つの第二ポート群から、前記目標第一ポート群に対応する目標第二ポート群を決定する段階と；前記端末装置によって、前記目標第二ポート群から前記M個の第二ポートを決定する段階とを含む。
【００１４】
複数の第一ポート群と複数の第二ポート群との間のマッピング関係は、事前に構成設定されており、前記N個の第一ポートが属する前記目標第一ポート群が決定された後、前記目標第一ポート群に対応する前記目標第二ポート群は、マッピング関係に基づいて容易に決定できる。よって、M個の第二ポートは目標第二ポート群から容易に決定できる。このようにして、本発明のこの実施形態における無線通信方法の効率が改善され、通信パフォーマンスがさらに改善される。
【００１５】
第一の側面のもう一つの可能な実装では、本方法はさらに：前記端末装置によって、ネットワーク装置によって送られた、前記第二のチャネルまたは前記第二の信号についての信号情報を受信する段階であって、前記信号情報は前記M個の第二ポートに基づいて前記ネットワーク装置によって決定されたものである、段階を含み、前記端末装置によって、前記第一の時間単位内に、前記第二のチャネルまたは前記第二の信号を前記M個の第二ポートを使って送ることは：前記端末装置によって、前記第一の時間単位内に、前記第二のチャネルまたは前記第二の信号を前記M個の第二ポートを使うことによって前記信号情報に基づいて送ることを含む。
【００１６】
前記端末装置が前記第二のチャネルまたは前記第二の信号を送るときに使われる構成設定パラメータを示すために使われる信号情報を、ネットワーク装置に、前記M個の第二ポートに基づいて決定させることによって、またネットワーク装置をして該信号情報を端末装置に送らせることによって、第二のチャネルまたは第二の信号の送信精度および信頼性が改善でき、通信パフォーマンスがさらに改善される。
【００１７】
第一の側面のさらにもう一つの可能な実装では、本方法はさらに、前記端末装置によって、第一の指示情報を前記ネットワーク装置に送る段階を含み、前記第一の指示情報は、チャネルまたは信号の送信の間に前記端末装置によって同時に使用可能なポートの最大数Tを示すために使われる。
【００１８】
第一の側面のさらにもう一つの可能な実装では、本方法はさらに、前記端末装置によって、前記ネットワーク装置によって送られた第二の指示情報を受信する段階であって、前記第二の指示情報は、前記N個の第一ポートを示すために使われる、段階と；前記端末装置によって、前記第二の指示情報に基づいて前記N個の第一ポートを決定する段階とを含む。
【００１９】
第一の側面のさらにもう一つの可能な実装では、前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る前記段階は：前記端末装置によって、前記第一の時間単位の第一の時間期間内に、前記第一のチャネルまたは前記第一の信号を前記N個の第一ポートを使って送り、前記端末装置によって、前記第一の時間単位の第二の時間期間内に、前記第二のチャネルまたは前記第二の信号を前記M個の第二ポートを使って送ることを含む。
【００２０】
第一の側面のあるさらなる可能な実装では、前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る前記段階は：前記端末装置によって、前記第一の時間単位内に、前記第一のチャネルまたは前記第一の信号を前記N個の第一ポートを使って第一の周波数帯域で送り、前記第二のチャネルまたは前記第二の信号を前記M個の第二ポートを使って第二の周波数帯域で送ることを含む。
【００２１】
第二の側面によれば、無線通信方法が提供される。本方法は：ネットワーク装置によって、端末装置の第一のチャネルまたは第一の信号のために第一の時間単位内で使用されるN個の第一ポートに基づいて、前記端末装置の第二のチャネルまたは第二の信号のために前記第一の時間単位内で使用されるM個の第二ポートを決定する段階であって、T≧N≧1、T≧M≧1であり、Tは送信中に前記端末装置によって同時に使用可能なポートの最大数である、段階と；前記ネットワーク装置によって、前記M個の第二ポートに基づいて、前記第二のチャネルまたは前記第二の信号についての信号情報を決定する段階と；前記ネットワーク装置によって、前記信号情報を前記端末装置に送る段階と；前記端末装置によって送られた前記第一のチャネルまたは前記第一の信号および前記端末装置によって送られた前記第二のチャネルまたは前記第二の信号を、前記ネットワーク装置によって、前記第一の時間単位内に受信する段階であって、前記第一のチャネルまたは前記第一の信号は前記端末装置によって前記N個の第一ポートを使って送られ、前記第二のチャネルまたは前記第二の信号は前記端末装置によって前記M個の第二ポートを使って前記信号情報に基づいて送られる、段階とを含む。
【００２２】
本発明のこの実施形態における無線通信方法によれば、第一のチャネルまたは第一の信号のために第一の時間単位内で使用される第一ポートが決定され、第二のチャネルまたは第二の信号のために前記第一の時間単位内で使用される第二ポートが、それらの第一ポートに基づいて決定される。それにより、第一ポートに対応するアンテナおよび第二ポートに対応するアンテナにおいて一つまたは複数の同じアンテナがあることがサポートされ、それにより第一のチャネルまたは第一の信号および第二のチャネルまたは第二の信号が前記第一の時間単位内に送られるときに送信アンテナ切り換えプロセスが必要とされないことがサポートされる。無線通信パフォーマンスが改善される。さらに、前記端末装置が前記第二のチャネルまたは前記第二の信号を送るときに使われる構成設定パラメータを示すために使われる信号情報を、ネットワーク装置に、前記M個の第二ポートに基づいて決定させることによって、またネットワーク装置をして該信号情報を端末装置に送らせることによって、第二のチャネルまたは第二の信号の送信精度および信頼性が改善でき、通信パフォーマンスがさらに改善される。
【００２３】
第二の側面のある可能な実装では、本方法はさらに：前記ネットワーク装置によって、少なくとも二つの第一ポート群を決定する段階であって、各第一ポート群は、第一のチャネルまたは第一の信号のために使われる、前記端末装置の少なくとも一つのポートを含み、各第一ポート群に含まれるポートの数は最大数T以下である、段階と；前記ネットワーク装置によって、少なくとも二つの第二ポート群を決定する段階であって、各第二ポート群は、第二のチャネルまたは第二の信号のために使われる、前記端末装置の少なくとも一つのポートを含み、各第二ポート群に含まれるポートの数は最大数T以下である、段階と；前記端末装置によって、マッピング関係情報を取得する段階であって、前記マッピング関係情報は、前記少なくとも二つの第一ポート群と前記少なくとも二つの第二ポート群との間の一対一対応を示すために使われる、段階とを含み、ネットワーク装置によって、端末装置の第一のチャネルまたは第一の信号のために第一の時間単位内で使用されるN個の第一ポートに基づいて、前記端末装置の第二のチャネルまたは第二の信号のために前記第一の時間単位内で使われるM個の第二ポートを決定する前記段階は、前記ネットワーク装置によって、前記少なくとも二つの第一ポート群から目標第一ポート群を決定する段階であって、前記N個の第一ポートは同じポート群に属し、前記目標第一ポート群は前記N個の第一ポートを含む、段階と；前記ネットワーク装置によって、前記マッピング関係情報に基づいて、前記少なくとも二つの第二ポート群から、前記目標第一ポート群に対応する目標第二ポート群を決定する段階と；前記ネットワーク装置によって、前記目標第二ポート群から前記M個の第二ポートを決定する段階とを含む。
【００２４】
第二の側面のもう一つの可能な実装では、本方法はさらに、前記ネットワーク装置によって、前記端末装置によって送られた第一の指示情報を受信する段階であって、前記第一の指示情報は、チャネルまたは信号の送信の間に前記端末装置によって同時に使用可能なポートの最大数Tを示すために使われる、段階と；前記ネットワーク装置によって、前記第一の指示情報に基づいて最大数Tを決定する段階とを含む。
【００２５】
第二の側面のさらにもう一つの可能な実装では、本方法はさらに、前記ネットワーク装置によって、第二の指示情報を前記端末装置に送る段階であって、前記第二の指示情報は、前記N個の第一ポートを示すために使われる、段階を含む。
【００２６】
第二の側面のさらにもう一つの可能な実装では、前記ネットワーク装置によって、前記第一の時間単位内に、前記端末装置によって送られた前記第一のチャネルまたは前記第一の信号および前記端末装置によって送られた前記第二のチャネルまたは前記第二の信号を受信する前記段階は：前記ネットワーク装置によって、前記第一の時間単位の第一の時間期間内に、前記第一のチャネルまたは前記第一の信号を受信し、前記ネットワーク装置によって、前記第一の時間単位の第二の時間期間内に前記第二のチャネルまたは前記第二の信号を受信することを含む。
【００２７】
第二の側面のさらにもう一つの可能な実装では、前記ネットワーク装置によって、前記第一の時間単位内に、前記端末装置によって送られた前記第一のチャネルまたは前記第一の信号および前記端末装置によって送られた前記第二のチャネルまたは前記第二の信号を受信する前記段階は：前記ネットワーク装置によって、前記第一の時間単位内に、前記第一のチャネルまたは前記第一の信号を第一の周波数帯域で、前記第二のチャネルまたは前記第二の信号を第二の周波数帯域で受信することを含む。
【００２８】
第三の側面によれば、第一の側面および第一の側面の諸実装の無線通信方法の段階を実行するよう構成されたユニットを含む無線通信装置が提供される。
【００２９】
第四の側面によれば、第二の側面および第二の側面の諸実装の無線通信方法の段階を実行するよう構成されたユニットを含む無線通信装置が提供される。
【００３０】
第五の側面によれば、メモリおよびプロセッサを含む無線通信装置が提供される。前記メモリはコンピュータ・プログラムを記憶するよう構成されており、前記プロセッサは前記メモリにおける前記コンピュータ・プログラムを呼び出して実行するよう構成されており、それにより端末装置が第一の側面および第一の側面の諸実装のいずれかにおける無線通信方法を実行する。
【００３１】
第六の側面によれば、メモリおよびプロセッサを含む無線通信装置が提供される。前記メモリはコンピュータ・プログラムを記憶するよう構成されており、前記プロセッサは前記メモリにおける前記コンピュータ・プログラムを呼び出して実行するよう構成されており、それによりネットワーク装置が第二の側面および第二の側面の諸実装のいずれかにおける無線通信方法を実行する。
【００３２】
第七の側面によれば、コンピュータ・プログラム・プロダクトが提供され、該コンピュータ・プログラム・プロダクトはコンピュータ・プログラム・コードを含み、前記コンピュータ・プログラム・コードが端末装置の通信ユニットおよび処理ユニットまたはトランシーバおよびプロセッサによって実行されるとき、端末装置は第一の側面および第一の側面の諸実装のいずれかにおける無線通信方法を実行する。
【００３３】
第八の側面によれば、コンピュータ・プログラム・プロダクトが提供され、該コンピュータ・プログラム・プロダクトはコンピュータ・プログラム・コードを含み、前記コンピュータ・プログラム・コードが端末装置の通信ユニットおよび処理ユニットまたはトランシーバおよびプロセッサによって実行されるとき、ネットワーク装置は第二の側面および第二の側面の諸実装のいずれかにおける無線通信方法を実行する。
【００３４】
第九の側面によれば、コンピュータ可読記憶媒体が提供される。該コンピュータ可読記憶媒体はプログラムを記憶しており、該プログラムは端末装置が、第一の側面および第一の側面の諸実装のいずれかにおける無線通信方法を実行できるようにする。
【００３５】
第十の側面によれば、コンピュータ可読記憶媒体が提供される。該コンピュータ可読記憶媒体はプログラムを記憶しており、該プログラムはネットワーク装置が、第二の側面および第二の側面の諸実装のいずれかにおける無線通信方法を実行できるようにする。
【００３６】
上記の諸側面に関し、ある可能な実装では、少なくとも二つのアンテナを備えた端末装置が提供され、前記N個の第一ポートは少なくとも一つの第一アンテナに対応し、M個の第二ポートは少なくとも一つの第二アンテナに対応し、前記第一アンテナおよび前記第二アンテナは少なくとも一つの同じアンテナを含む。
【００３７】
上記の諸側面に関し、もう一つの可能な実装では、前記端末装置は少なくとも二つのアンテナを備えており、前記第一のチャネルまたは前記第一の信号のために使われる、一つのアンテナに対応するポートは一つの第一ポート群のみに属し、前記第二のチャネルまたは前記第二の信号のために使われる、一つのアンテナに対応するポートは一つの第二ポート群のみに属し、前記マッピング関係情報によって示される対応において、互いに対応する第一ポート群および第二ポート群の任意の対に対応するアンテナは、少なくとも一つの同じアンテナを含む。
【００３８】
上記の諸側面に関し、さらにもう一つの可能な実装では、前記第一の時間期間および／または前記第二の時間期間の前に、事前設定された保護区間がある。
【００３９】
上記の諸側面に関し、さらにもう一つの可能な実装では、前記第一の信号は探測参照信号SRSであり、前記第二のチャネルは物理上りリンク・データ・チャネルPUSCHまたは物理上りリンク制御チャネルPUCCHである；または前記第一のチャネルがPUSCHまたはPUCCHであり、前記第二の信号がSRSである。
【００４０】
第一の側面のさらなる可能な実装では、一つの時間単位は少なくとも一つのサブフレームを含む；または一つの時間単位は少なくとも一つの時間スロットを含む；または一つの時間単位は少なくとも一つのシンボルを含む。
【図面の簡単な説明】
【００４１】
【図１】従来技術におけるSRSおよびPUSCHのための伝送モードの概略図である。
【図２】本発明の実施形態に基づく無線通信方法および装置が適用可能な通信システムの例の概略的なフローチャートである。
【図３】本発明の実施形態の一つに基づく無線通信方法の概略的なフローチャートである。
【図４】本発明のある実施形態に基づくSRSおよびPUSCHのための伝送モードの概略図である。
【図５】本発明のある実施形態に基づくSRS、PUSCHおよびPUCCHのための伝送モードの例の概略図である。
【図６】本発明のある実施形態に基づくSRS、PUSCHおよびPUCCHのための伝送モードのもう一つの例の概略図である。
【図７】本発明のある実施形態に基づくSRS、PUSCHおよびPUCCHのための伝送モードのもう一つの例の概略図である。
【図８】本発明のある実施形態に基づくSRSおよびPUSCHのための伝送モードのもう一つの例の概略図である。
【図９】本発明のある実施形態に基づくPUSCHのための伝送モードのもう一つの例の概略図である。
【図１０】本発明のある実施形態に基づくSRSおよびPUSCHのための伝送モードのもう一つの例の概略図である。
【図１１】本発明のある実施形態に基づくSRSおよびPUSCHのための伝送モードのもう一つの例の概略図である。
【図１２】本発明のある実施形態に基づくSRSおよびPUSCHのための伝送モードのもう一つの例の概略図である。
【図１３】本発明の実施形態のうちの別のものに基づく無線通信方法の概略的なフローチャートである。
【図１４】本発明の実施形態のうちの一つに基づく無線通信装置の概略的なブロック図である。
【図１５】本発明の実施形態のうちの別のものに基づく無線通信装置の概略的なブロック図である。
【図１６】本発明の実施形態のうちの一つに基づく無線通信デバイスの概略的な構造図である。
【図１７】本発明の実施形態のうちの別のものに基づく無線通信デバイスの概略的な構造図である。
【発明を実施するための形態】
【００４２】
本発明の実施形態において提供される無線通信方法、装置およびデバイスは、コンピュータに適用されてもよい。コンピュータは、ハードウェア層、該ハードウェア層の上で走るオペレーティング・システム層および該オペレーティング・システム層の上で走るアプリケーション層を含む。ハードウェア層は、中央処理ユニット（Central  Processing  Unit、CPU）、メモリ管理ユニット（Memory  Management  Unit、MMU）およびメモリ（メイン・メモリとも称される）といったハードウェアを含む。オペレーティング・システムは、Linuxオペレーティング・システム、UNIXオペレーティング・システム、Androidオペレーティング・システム、iOSオペレーティング・システムまたはWindowsオペレーティング・システムといった、プロセス（Process）を使うことによってサービス処理を実装する任意の一つまたは複数のオペレーティング・システムでありうる。アプリケーション層は、ブラウザー、連絡先リスト、ワードプロセシング・ソフトウェアおよびインスタント通信ソフトウェアといったアプリケーションを含む。さらに、本発明の実施形態において、コンピュータは、スマートフォンのようなハンドヘルド装置であってもよく、あるいはパーソナル・コンピュータのような端末装置であってもよい。これは、本発明の実施形態における無線通信方法のコードを記録するプログラムを実行することによって本発明の実施形態における無線通信方法に従ってデータが処理されることができる限り、本発明の実施形態において特に限定されない。本発明の実施形態における無線通信方法は、コンピュータ装置またはコンピュータ装置内にあってプログラムを呼び出して実行することができる機能モジュールによって実行されてもよい。
【００４３】
さらに、本発明の実施形態のそれぞれの側面または特徴は、標準的なプログラミングおよび／またはエンジニアリング技術を使う方法、装置またはプロダクトとして実装されうる。本願で使われる用語「プロダクト」は、任意のコンピュータ可読コンポーネント、担体または媒体からアクセスされることができるコンピュータ・プログラムをカバーする。たとえば、コンピュータ可読媒体は、磁気記憶コンポーネント（たとえば、ハードディスク、フロッピーディスクまたは磁気テープ）、光ディスク（たとえばコンパクトディスク（Compact  Disc、CD）、デジタル多用途ディスク（Digital  Versatile  Disc、DVD）、スマートカードおよびフラッシュメモリ・コンポーネント（たとえば消去可能なプログラム可能型読み出し専用メモリ（Erasable  Programmable  Read-Only  Memory、EPROM）、カード、スティックまたはキー・ドライブ）を含みうるがそれに限られない。さらに、本明細書に記載されるさまざまな記憶媒体は、情報を記憶するために使われる一つまたは複数のデバイスおよび／または他の機械可読媒体を示しうる。用語「機械可読媒体」は、命令および／またはデータを記憶する、含む、および／または搬送することができる無線チャネルおよびさまざまな他の媒体を含みうるが、それに限られない。
【００４４】
本発明の実施形態における解決策は、既存のセルラー通信システム、たとえばグローバル移動通信システム（Global  System  for  Mobile  Communication、GSM）システム、ワイドバンド符号分割多重アクセス（Wideband  Code  Division  Multiple  Access、WCDMA）システム、ロングタームエボリューション（Long  Term  Evolution、LTE）システムまたは次世代モバイル通信システムに適用されうる。限定ではなく例として、次世代通信システムは、従来の通信のみならず、マシン型通信（Machine  Type  Communication、MTC）とも称されるマシン間（Machine  to  Machine、M2M）通信をもサポートする。
【００４５】
任意的に、ネットワーク装置は基地局であり、端末装置はユーザー装置である。
【００４６】
実施形態は、本発明の実施形態における端末装置に関して記述される。端末装置は、ユーザー装置（User  Equipment、UE）、アクセス端末、加入者ユニット、加入者ステーション、リモート端末、モバイル装置、ユーザー端末、端末、無線通信装置、ユーザー・エージェントまたはユーザー装置と称されることもある。端末装置は、無線ローカルエリアネットワーク（Wireless  Local  Area  Networks、WLAN）におけるステーション（STATION、ST）であってもよく、あるいはセルラー電話、コードレス電話、セッション開始プロトコル（Session  Initiation  Protocol、SIP）電話、無線ローカルループ（Wireless  Local  Loop、WLL）ステーション、携帯情報端末（Personal  Digital  Assistant、PDA）、ハンドヘルド装置または無線通信機能を備えたコンピューティング装置、無線モデムに接続されたその他の処理装置、車載装置、ウェアラブル装置、将来の5Gネットワークにおける端末装置、将来の進化型PLMNネットワークにおける端末装置などであってもよい。
【００４７】
さらに、実施形態は、本発明の実施形態におけるネットワーク装置に関して記述される。ネットワーク装置は、モバイル装置と通信するよう構成された装置であってもよい。ネットワーク装置は、無線ローカルエリアネットワーク（Wireless  Local  Area  Networks、WLAN）におけるAP（ACCESS  POINT、AP）、GSMまたは符号分割多重アクセス（Code  Division  Multiple  Access、CDMA）におけるベーストランシーバーステーション（Base  Transceiver  Station、BTS）、WCDMAにおけるノードB（NodeB、NB）、ロングタームエボリューション（Long  Term  Evolution、LTE）における進化型ノードB（Evolutional  Node  B、eNBまたはeNodeB）、リレー・ノードまたはアクセス・ポイント、車載装置、ウェアラブル装置、将来の5Gネットワークにおけるネットワーク装置または将来の進化型PLMNネットワークにおけるネットワーク装置などであってもよい。
【００４８】
図２は、本発明の実施形態に基づく無線通信方法が適用できる通信システムの概略図である。図２に示されるように、通信システム１００は、ネットワーク装置１０２を含んでおり、ネットワーク装置１０２は複数のアンテナ、たとえばアンテナ１０４、１０６、１０８、１１０、１１２および１１４を含んでいてもよい。さらに、ネットワーク装置１０２は追加的に送信器チェーンおよび受信器チェーンを含んでいてもよい。当業者は、送信器チェーンおよび受信器チェーンはいずれも、信号送信および受信に関係した複数のコンポーネント（たとえばプロセッサ、変調器、マルチプレクサ、復調器、デマルチプレクサまたはアンテナ）を含みうることを理解できる。
【００４９】
ネットワーク装置１０２は、複数の端末装置（たとえば端末装置１１６および端末装置１２２）と通信しうる。しかしながら、ネットワーク装置１０２は端末装置１１６または１２２のような任意の数の端末装置と通信しうることは理解できる。端末装置１１６および１２２は携帯電話、スマートフォン、ポータブル・コンピュータ、ハンドヘルド通信装置、ハンドヘルド・コンピューティング装置、衛星無線装置、グローバル測位システム、PDAおよび／または無線通信システム１００において通信を実行するよう構成されている他の任意の適切な装置でありうる。
【００５０】
図２に示されるように、端末装置１１６は、アンテナ１１２および１１４と通信する。アンテナ１１２および１１４は、順方向リンク１１８を使って端末装置１１６に情報を送り、逆方向リンク１２０を使って端末装置１１６から情報を受信する。さらに、端末装置１２２はアンテナ１０４および１０６と通信する。アンテナ１０４および１０６は順方向リンク１２４を使って端末装置１２２に情報を送り、逆方向リンク１２６を使って端末装置１２２から情報を受け取る。
【００５１】
たとえば、周波数分割多重（Frequency  Division  Duplex、FDD）システムでは、逆方向リンク１２０のために使われるものとは異なる周波数帯域が順方向リンク１１８のために使われてもよく、逆方向リンク１２６のために使われるものとは異なる周波数帯域が順方向リンク１２４のために使われてもよい。
【００５２】
もう一つの例として、時分割多重（Time  Division  Duplex、TDD）システムまたは全二重（Full  Duplex）システムでは、順方向リンク１１８および逆方向リンク１２０のために同じ周波数帯域が使われてもよく、順方向リンク１２４および逆方向リンク１２６のために同じ周波数帯域が使われてもよい。
【００５３】
通信のために設計されているそれぞれのアンテナ（または複数のアンテナを含むアンテナ群）および／または領域は、ネットワーク装置１０２のセクターと称される。たとえば、アンテナ群が、ネットワーク装置１０２のカバレッジ・エリアのあるセクター内にある端末装置と通信するよう設計されうる。それぞれ順方向リンク１１８および１２４を使ってネットワーク装置１０２によって端末装置１１６および１２２と通信するプロセスにおいて、ネットワーク装置１０２の送信アンテナは、順方向リンク１１８および１２４の信号対雑音比を改善するようビームフォーミングを使ってもよい。さらに、ネットワーク装置によってサービスされるすべての端末装置に信号を送るためにネットワーク装置が単一のアンテナを使う仕方と比べて、ネットワーク装置１０２が、関係したカバレッジ・エリア内にランダムに分散している端末装置１１６および１２２に信号を送るためにビームフォーミングを使うときは、近傍セルにあるモバイル装置への干渉が少なくなる。
【００５４】
所与の時間内において、ネットワーク装置１０２、端末装置１１６または端末装置１２２は、無線通信送信装置および／または無線通信受信装置であってもよい。データ送信の間、無線通信送信装置は送信で使うためにデータをエンコードしてもよい。具体的には、無線通信送信装置は、チャネルを使って無線通信受信装置に送られる必要のある、ある量のデータ・ビットを取得してもよい（たとえば、生成する、他の通信装置から受領するまたはメモリに記憶する）。これらのデータ・ビットは、前記データのトランスポート・ブロック（または複数のトランスポート・ブロック）に含められてもよく、前記トランスポート・ブロックは、セグメント分割されて複数の符号ブロックを生成してもよい。
【００５５】
さらに、通信システム１００は、公共地上モバイルネットワーク（Public  Land  Mobile  Network、PLMN）、D2Dネットワーク、M2Mネットワークまたはその他のネットワークであってもよい。図２は、例として使われる簡略化された概略図である。ネットワークはさらに、図２に描かれていない他のネットワーク装置を含んでいてもよい。さらに、図２に示される通信システム１００に含まれるネットワーク装置および端末装置の数は単に例として使われており、本発明のこの実施形態は特に限定されない。
【００５６】
図３は、端末装置の観点から記述される、本発明の実施形態の一つに基づく無線通信方法２００の概略的なフローチャートである。図３に示されるように、方法２００は以下の段階を含む。
【００５７】
S210。端末装置が、第一のチャネルまたは第一の信号のために第一の時間単位内で使用されるN個の第一ポートに基づいて、第二のチャネルまたは第二の信号のために前記第一の時間単位内で使用されるM個の第二ポートを決定し、それによって、端末装置は第一のチャネルまたは第一の信号および第二のチャネルまたは第二の信号を第一の時間単位内で送るときにアンテナ切り換えを実行する必要がない。ここで、T≧N≧1、T≧M≧1であり、Tは送信中に前記端末装置によって同時に使用可能なポートの最大数である。
【００５８】
S220。端末装置が、前記第一の時間単位内に、前記第一のチャネルまたは前記第一の信号を前記N個の第一ポートを使って送り、端末装置が、前記第一の時間単位内に、前記第二のチャネルまたは前記第二の信号を前記M個の第二ポートを使って送る。
【００５９】
方法２００は、一つの時間単位内に少なくとも二つの型のチャネルまたは信号が送信される場合に適用可能である。
【００６０】
さらに、本発明のこの実施形態において、チャネルは、既存のまたは将来の通信プロトコルまたは通信規格において規定されるチャネル、たとえばPUSCHまたは物理上りリンク制御チャネル（PUCCH、Physical  Uplink  Control  Channel）であってもよい。同様に、信号は既存のまたは将来の通信プロトコルまたは通信規格において規定される信号、たとえばSRSであってもよい。
【００６１】
換言すれば、本発明のこの実施形態において、二つ以上の型のチャネルまたは信号が一つの時間単位内に送信される。
【００６２】
任意的に、第一の信号は探測参照信号SRSであり、第二のチャネルは物理上りリンク・データ・チャネルPUSCHまたは物理上りリンク制御チャネルPUCCHである；あるいは
第一のチャネルはPUSCHまたはPUCCHであり、第二の信号はSRSである。
【００６３】
限定ではなく例として、たとえば、第一の信号はSRSであってもよい。この場合、第二のチャネルは、上りリンク・データを伝送するために使われるチャネル、たとえばPUSCHを含んでいてもよい。あるいはまた、第二のチャネルは、上りリンク制御情報を伝送するために使われるチャネル、たとえばPUCCHを含んでいてもよい。
【００６４】
もう一つの例として、たとえば、第一のチャネルは、上りリンク・データを伝送するために使われるチャネル、たとえばPUSCHを含んでいてもよい。あるいはまた、第一のチャネルは、上りリンク制御情報を伝送するために使われるチャネル、たとえばPUCCHを含んでいてもよい。この場合、第二の信号はSRSであってもよい。
【００６５】
第一のチャネルまたは第一の信号および第二のチャネルまたは第二の信号の上記で挙げた個別的な例は単に記述のための例として使われていることを理解しておくべきである。本発明のこの実施形態はそれに限定されず、同じ時間単位内に伝送されることのできる他の任意のチャネルまたは信号が、本発明のこの実施形態の保護範囲内にはいる。
【００６６】
さらに、本発明のこの実施形態において、第一のチャネルは一つの型のチャネルを含んでいてもよく、あるいは二つ以上の型のチャネルを含んでいてもよい；第一の信号は一つの型の信号または二つ以上の型の信号を含んでいてもよい。第二のチャネルは一つの型のチャネルを含んでいてもよく、あるいは二つ以上の型のチャネルを含んでいてもよい；第二の信号は一つの型の信号または二つ以上の型の信号を含んでいてもよい。これは、本発明のこの実施形態において特に限定されない。
【００６７】
理解および記述の簡単のため、一般性を失うことなく、下記では、SRSが第一の信号であり、PUSCHが第二のチャネルである例を使って方法２００の具体的プロセスを詳述する。
【００６８】
下記は、本発明のこの実施形態における時間単位を記述する。
【００６９】
任意的に、一つの時間単位は少なくとも一つのサブフレームを含む；または
一つの時間単位は少なくとも一つの時間スロットを含む；または
一つの時間単位は少なくとも一つのシンボルを含む。
【００７０】
具体的には、たとえば、本発明のこの実施形態において、一つの時間単位は少なくとも一つのサブフレームを含んでいてもよい。この場合、前記少なくとも一つのサブフレームにおける一つまたは複数のシンボルが、第一のチャネルまたは第一の信号を担持するために使われてもよく、前記少なくとも一つのサブフレームにおける一つまたは複数のシンボルが、第二のチャネルまたは第二の信号を担持するために使われてもよい。
【００７１】
もう一つの例として、一つの時間単位は少なくとも一つの時間スロットを含んでいてもよい。この場合、前記少なくとも一つの時間スロットにおける一つまたは複数のシンボルが、第一のチャネルまたは第一の信号を担持するために使われてもよく、前記少なくとも一つの時間スロットにおける一つまたは複数のシンボルが、第二のチャネルまたは第二の信号を担持するために使われてもよい。
【００７２】
もう一つの例として、一つの時間単位は少なくとも一つのシンボルを含んでいてもよい。この場合、前記少なくとも一つのシンボルにおける一つまたは複数のシンボルが、第一のチャネルまたは第一の信号を担持するために使われてもよく、前記少なくとも一つのシンボルにおける一つまたは複数のシンボルが、第二のチャネルまたは第二の信号を担持するために使われてもよい。
【００７３】
第一のチャネルまたは第一の信号を担持するシンボルは、第二の信号または第二のチャネルを担持するシンボルと同じであってもよく、この場合、第一のチャネルまたは第一の信号および第二のチャネルまたは第二の信号は周波数分割多重式に同じシンボルを使って伝送されうること；あるいは第一のチャネルまたは第一の信号を担持するシンボルは、第二の信号または第二のチャネルを担持するシンボルとは異なっていてもよく、この場合、第一のチャネルまたは第一の信号および第二のチャネルまたは第二の信号は時分割多重式に異なるシンボルを使って伝送されうることを注意しておくべきである。
【００７４】
上記で挙げた時間ユニットにおいて、シンボルは時間領域における最小単位として使われていることを理解しておくべきである。しかしながら、本発明のこの実施形態はそれに限定されない。時間領域における任意の長さの最小単位が本発明のこの実施形態の保護範囲内にはいる。
【００７５】
さらに、本発明のこの実施形態において、一つの時間単位は、第一のチャネルまたは第一の信号および第二のチャネルまたは第二の信号のみを伝送するために使われてもよく、あるいは一つの時間単位は、第一のチャネルまたは第一の信号および第二のチャネルまたは第二の信号以外のチャネルを伝送するためにも使われてもよい。本発明のこの実施形態においてこれは特に限定されない。
【００７６】
下記は、方法２００が適用される端末装置のためのハードウェア要求および伝送容量要求を記述する。
【００７７】
任意的に、端末装置は少なくとも二つのアンテナを設けられる。
【００７８】
具体的には、本発明のこの実施形態において、端末装置はK（K≧2）個のアンテナを備える。
【００７９】
理解および記述の簡単のため、一般性を失うことなく、下記では、端末装置が8（K＝8）個のアンテナを備える例を使って方法２００を記述する。端末装置が備えるアンテナの上記で挙げた数は単位記述のための例として使われていることを理解しておくべきである。本発明のこの実施形態はそれに限定されず、本発明のこの実施形態における方法２００は、少なくとも二つのアンテナを備えるいかなる端末装置にも適用できる。
【００８０】
本発明のこの実施形態において、端末装置は、チャネルまたは信号送信のために同時にT（T≧1）個のポートを使うことができる。換言すれば、端末装置はチャネルまたは信号送信のために同時にT（T≧1）個のアンテナを使うことができる。
【００８１】
ここで、「端末装置は、チャネルまたは信号送信のために同時にT（T≧1）個のポートを使うことができる」とは、ポート切り換えが実行されないとき、信号またはチャネル送信のために端末装置によって一つの時間単位内に使用できるポートの最大数がTであることを意味しうる。同様に、「端末装置はチャネルまたは信号送信のために同時にT（T≧1）個のアンテナを使うことができる」とは、アンテナ切り換えが実行されないとき、信号またはチャネル送信のために端末装置によって一つの時間単位内に使用できるアンテナの最大数がTであることを意味しうる。限定ではなく例として、Tは送信のために端末装置によって使用される無線周波数チャネルの数に依存して決定されてもよい。
【００８２】
さらに、本発明のこの実施形態では、チャネルまたは信号送信のために端末装置によって一つの時間単位内に使用できるアンテナ（またはポート）の最大数Tは、端末装置が備えているアンテナの数K未満である。
【００８３】
すなわち、本発明のこの実施形態においてK＞Tである。
【００８４】
LTEシステムを例として使うと、端末装置によって同じ時点で使用可能な上りリンク信号ポートまたは上りリンク・チャネル・ポートの最大数は4である。
【００８５】
理解および記述の簡単のため、一般性を失うことなく、下記では、信号送信の間に端末装置によって同じ時点で使用可能なポートの最大数が4である、すなわちT＝4である例を使って方法２００を記述する。Tの上記で挙げた具体的な値は単に記述のための例として使われていることを理解しておくべきである。本発明のこの実施形態はそれに限定されず、本発明のこの実施形態における方法２００は、K個のアンテナを備えるいかなる端末装置にも適用できる。ここで、K＞T≧1である。
【００８６】
さらに、本発明のこの実施形態において、一つの型のチャネルまたは信号について、この型のチャネルまたは信号の一つのポートに一つのアンテナが対応する。
【００８７】
限定ではなく例として、端末装置がSRSのためにたとえば八個のアンテナを備えるとき、該八個のアンテナ（アンテナ＃０ないしアンテナ＃７と記される）は、八個のポート（ポート＃ａ０ないしポート＃ａ７と記される）と一対一対応にある。たとえば、アンテナ＃０はポート＃ａ０に対応し、アンテナ＃１はポート＃ａ１に対応し、アンテナ＃２はポート＃ａ２に対応し、アンテナ＃３はポート＃ａ３に対応し、アンテナ＃４はポート＃ａ４に対応し、アンテナ＃５はポート＃ａ５に対応し、アンテナ＃６はポート＃ａ６に対応し、アンテナ＃７はポート＃ａ７に対応する。さらに、本発明のこの実施形態において、T＝4であるとき、端末装置はSRSを送るために、アンテナ＃０ないしアンテナ＃７のうち同時に四つのアンテナしか使うことができない。あるいは換言すれば、端末装置は、同時にはポート＃ａ０ないしポート＃ａ７のうちの四つのポートのSRSを送ることができるだけである。すなわち、アンテナ（またはポート）切り換えが実行されないとき、一つの時間単位内で、端末装置はSRSを送るために四つのアンテナを使うことができるだけである。あるいは換言すれば、端末装置は四つのポートのSRSを送ることができるだけである。
【００８８】
従来技術では、端末装置はPUSCHを送るために四つのアンテナ（または四つのポート）のみを使う。
【００８９】
従来技術の場合と比べて、本発明のこの実施形態では、PUSCHを送るために八つのアンテナ（または八つのポート）が使用できる。
【００９０】
さらに、八つのアンテナ（つまりアンテナ＃０ないしアンテナ＃７）は、PUSCHを送信するために使われる八つのポート（ポート＃ｂ０ないしポート＃ｂ３およびポート＃ｂ’０ないしポート＃ｂ’３と記される）と一対一対応にある。本発明のこの実施形態において、PUSCHは各時間単位内に四つのポートを使って送られることを注意しておくべきである。すなわち、PUSCHを伝送するために使われる八個のポートは時分割式に使われる。
【００９１】
たとえば、アンテナ＃０はポート＃ｂ０に対応し、アンテナ＃１はポート＃ｂ１に対応し、アンテナ＃２はポート＃ｂ２に対応し、アンテナ＃３はポート＃ｂ３に対応し、アンテナ＃４はポート＃ｂ’０に対応し、アンテナ＃５はポート＃ｂ’１に対応し、アンテナ＃６はポート＃ｂ’２に対応し、アンテナ＃７はポート＃ｂ’３に対応する。さらに、本発明のこの実施形態において、T＝4であるとき、端末装置はPUSCHを送るために同時にアンテナ＃０ないしアンテナ＃７のうち四つのアンテナのみを使うことができる。あるいは換言すれば、同時に、端末装置は、ポート＃ｂ０ないしポート＃ｂ３およびポート＃ｂ’０ないしポート＃ｂ’３の四つのポートのみを使ってPUSCHを送ることができる。すなわち、アンテナ（またはポート）切り換えが実行されないとき、一つの時間単位内で、端末装置はPUSCHを送るために四つのアンテナを使うことができるだけであり、あるいは換言すれば、端末装置は四つのポートを使ってPUSCHを送ることしかできない。
【００９２】
限定ではなく例として、本発明のこの実施形態では、端末装置はさらにポートをグループ化してもよい。
【００９３】
すなわち、任意的に、方法２００はさらに：
前記端末装置によって、少なくとも二つの第一ポート群を決定する段階であって、各第一ポート群は、第一のチャネルまたは第一の信号のために使われる少なくとも一つのポートを含み、各第一ポート群に含まれるポートの数は最大数T以下である、段階と；
前記端末装置によって、少なくとも二つの第二ポート群を決定する段階であって、各第二ポート群は、第二のチャネルまたは第二の信号のために使われる少なくとも一つのポートを含み、各第二ポート群に含まれるポートの数は最大数T以下である、段階と；
前記端末装置によって、マッピング関係情報を取得する段階であって、前記マッピング関係情報は、前記少なくとも二つの第一ポート群と前記少なくとも二つの第二ポート群との間の一対一対応を示すために使われる、段階とを含む。
【００９４】
具体的には、端末装置は、信号送信の間に端末装置によって同じ時点で使用可能なポートの最大数Tに基づいて、第一のチャネルのために使われるポートをグループ化して、一つまたは複数の第一ポート群を決定してもよく、それによりそれぞれの第一ポート群に含まれるポートの数はT以下である。
【００９５】
さらに、端末装置は、前記最大数Tに基づいて、第二のチャネルのために使われるポートをグループ化してもよく、それによりそれぞれの第二ポート群に含まれるポートの数はT以下である。
【００９６】
さらに、本発明のこの実施形態では、諸第一ポート群に含まれるポートの数は同じであってもよく、あるいは異なっていてもよく、同様に、諸第二ポート群に含まれるポートの数は同じであってもよく、あるいは異なっていてもよい。これは本発明のこの実施形態において特に限定されない。
【００９７】
さらに、本発明のこの実施形態において、第一ポート群の数は第二ポート群の数と同じであっても、あるいは異なっていてもよい。これは本発明のこの実施形態において特に限定されない。
【００９８】
任意的に、本発明のこの実施形態では、端末装置は、第一のチャネルのために使われ、一つのアンテナに対応するポートを、ただ一つの第一ポート群に属させてもよく、端末装置は、第二のチャネルのために使われ、一つのアンテナに対応するポートを、ただ一つの第二ポート群に属させてもよい；かつ
前記マッピング関係情報によって示される対応において、第一のチャネルまたは第一の信号のために使われ、一つのアンテナに対応するポートが属する第一ポート群は、第二のチャネルまたは第二の信号のために使われ、前記アンテナに対応するポートが属する第二ポート群に対応する；あるいは
換言すれば、前記マッピング関係情報によって示される対応において、第一の型の第一ポート群は第一の型の第二ポート群に対応し、前記第一の型の第一ポート群は、第一のチャネルのために使われ、前記少なくとも二つのアンテナのうちの第一のアンテナに対応するポートが属する第一ポート群であり、前記第一の型の第二ポート群は、第二のチャネルのために使われ、前記第一のアンテナに対応するポートが属する第二ポート群である。
【００９９】
具体的には、たとえば、アンテナ＃０はポート＃ａ０およびポート＃ｂ０に対応する。SRSポートがグループ化されるとき、ポート＃ａ０がグループ化される第一ポート群は第一ポート群＃０（前記第一の型の第一ポート群の例）であるとする。PUSCHポートがグループ化されるとき、ポート＃ｂ０がグループ化される第二ポート群は第二ポート群＃０（前記第一の型の第二ポート群の例）であるとする。この場合、マッピング関係情報によって示される対応において、第一ポート群＃０は第二ポート群＃０に対応する。
【０１００】
表１は、マッピング関係情報の例を与える。
【表１】
2019530263.tif 000003
表１において同じ行にある第一ポート群および第二ポート群は互いに対応する。
【０１０１】
さらに、任意的に、端末装置はさらに、複数のアンテナをグループ化して、少なくとも二つのアンテナ群を決定してもよい。一つのアンテナは一つのアンテナ群にのみ属し、前記少なくとも二つのアンテナ群は少なくとも一つの第一ポート群と一対一対応にあり、前記少なくとも二つのアンテナ群は少なくとも一つの第二ポート群と一対一対応にあり、同じアンテナ群に対応する第一ポート群および第二ポート群は互いに対応する。
【０１０２】
表２は、マッピング関係情報のもう一つの例を与える。
【表２】
2019530263.tif 000004
表２において同じ行にある第一ポート群およびアンテナ群は互いに対応し、表２において同じ行にある第二ポート群およびアンテナ群は互いに対応する。
【０１０３】
S210において、端末装置は、前記複数のSRSポート（第一ポートの例）から、サブフレームA（第一の時間単位の例）内で使用されるN個のポートを決定してもよい。換言すれば、端末装置は、サブフレームA内でSRS伝送のために使われるN個のアンテナを決定してもよい。ここで、K＞T≧N≧1である。
【０１０４】
つまり、端末装置は、サブフレームA内において、ポート＃ａ０ないしポート＃ａ７のうちのいくつかのポートのみのSRSを送信する。
【０１０５】
本発明のこの実施形態において、端末装置は、N個の第一ポートを自分で決定してもよい。
【０１０６】
たとえば、端末装置は、通信プロトコルによって指定されている、ユーザーによって入力されるまたは事業者または製造業者によって事前設定されているマッピング規則を取得してもよい。マッピング規則は、サブフレームと第一ポート決定様式との間の対応を示してもよく、それにより端末装置は、該マッピング規則に基づいて、SRS伝送のために各サブフレームにおいて使われるポートを決定できる。たとえば、サブフレーム番号が奇数であるサブフレームでは、ポート＃ａ０ないしポート＃ａ３が第一ポートとして使われてもよい。もう一つの例として、サブフレーム番号が偶数であるサブフレームでは、ポート＃ａ４ないしポート＃ａ７が第一ポートとして使われてもよい。
【０１０７】
あるいはまた、本発明のこの実施形態において、ネットワーク装置が前記N個のポートを端末装置に対して示してもよい。
【０１０８】
すなわち、任意的には、本方法はさらに：
前記端末装置によって、前記ネットワーク装置によって送られた第二の指示情報を受信する段階であって、前記第二の指示情報は、前記N個の第一ポートを示すために使われる、段階と；
前記端末装置によって、前記第二の指示情報に基づいて前記N個の第一ポートを決定する段階とを含む。
【０１０９】
具体的には、本発明のこの実施形態では、サブフレームAにおいてSRS伝送のために端末装置によって使用されるN個の第一ポートをネットワーク装置が決定し、該N個の第一ポートを示すために使われる指示情報（すなわち前記第二の指示情報）を端末装置に送達してもよい。
【０１１０】
任意的に、本方法はさらに：
前記端末装置によって、第一の指示情報を前記ネットワーク装置に送る段階を含み、前記第一の指示情報は、信号の送信の間に前記端末装置によって同時に使用可能なポートの最大数Tを示すために使われる。
【０１１１】
具体的には、本発明のこの実施形態では、端末装置はさらに、たとえばネットワーク装置に接続されるときに、端末装置によって同時に使用可能なポートの最大数（Tの具体的な値）を示すために使われる指示情報（前記第一の指示情報の例）をネットワーク装置に送ってもよい。
【０１１２】
よって、ネットワーク装置は、第一の指示情報に基づいて、端末装置によって同時に使用可能なポートの最大数（Tの具体的な値）を知ることができる。
【０１１３】
このようにして、ネットワーク装置は、第一の指示情報に基づいて前記N個の第一ポートを決定できる。限定ではなく例として、たとえば、ネットワーク装置は、N≦Tとすることによって、第一の指示情報に基づいて第一ポートを決定しうる。
【０１１４】
さらに、第一の指示情報はさらに、第一ポート群（すなわち、前記N個の第一ポートが属するポート群、たとえば上記の第一ポート群＃Ａ）を示すために使われてもよい。よって、端末装置は、第一の指示情報によって示される第一ポート群からN個の第一ポートを選択でき、N個の第一ポートは、第一の指示情報によって示される第一ポート群におけるすべてのポートであってもよく、あるいは第一の指示情報によって示される第一ポート群におけるいくつかのポートであってもよい。本発明のこの実施形態においてこれは特に限定されない。
【０１１５】
限定ではなく例として、第一の指示情報は、より上位層の信号情報であってもよく、あるいは第一の指示情報は下りリンク制御情報（Downlink  Control  Information、DCI）であってもよい。たとえば、本発明のこの実施形態において、ネットワーク装置は、第一ポート群の数に基づいて第一の指示情報のビット（bit）の数を決定し、たとえば諸第一ポート群において第一の指示情報によって示される第一ポート群の逐次位置に基づいて第一の指示情報のビットを決定してもよい。たとえば、第一ポートが二つのポート群に分類される場合、第一の指示情報は一ビットを有していてもよく、そのビットについて「0」がポート＃ａ０ないし＃ａ３が属する第一ポート群を示し、「1」がポート＃ａ４ないし＃ａ７が属する第一ポート群を示す。
【０１１６】
第一の指示情報の上記で挙げた具体的な形が単に記述のための例として使われていることを理解しておくべきである。ネットワーク装置および端末装置が第一の指示情報に基づいて同じ第一ポート群を決定できることが保証される限り、本発明のこの実施形態は、特にそれに限定されない。
【０１１７】
複数のSRSポートが少なくとも二つの第一ポート群に分類されるとき、ネットワーク装置によって決定される第一ポートと端末装置によって決定される第一ポートは同じ第一ポート群に属することを注意しておくべきである。
【０１１８】
理解および区別の簡単のために、一般性を失うことなく、下記では、記述のためにN＝4である例を使う。この場合、一般性を失うことなく、N個の第一ポートはポート＃ａ０ないしポート＃ａ３である、あるいは換言すればN個の第一ポートに対応するアンテナはアンテナ＃０ないしアンテナ＃３であると想定される。
【０１１９】
すると、端末装置は、上記で決定されたN個の第一ポートに基づいて、前記複数のPUSCHポートから、サブフレームA（前記第一の時間単位の例）内で使われるM個のポート（前記第二ポートの例）を決定してもよい。換言すれば、端末装置は、サブフレームA内でPUSCH送信のために使われるM個のアンテナを決定してもよい。ここで、K＞T≧N≧1である。
【０１２０】
つまり、端末装置は、サブフレームA内では、ポート＃ｂ０ないしポート＃ｂ３およびポート”ｂ’０ないしポート＃ｂ’３のいくつかのポートのみのPUSCHを送信する。
【０１２１】
すなわち、端末装置は、以下の規則を使って、M個の第二ポートを決定してもよい：
端末装置が同じ時間単位内で前記N個の第一ポートの第一のチャネル（または第一の信号）および前記M個の第二ポートの第二のチャネル（または第二の信号）を送信するときは、端末装置はアンテナ切り換えを実行する必要がない。
【０１２２】
限定ではなく例として、上記の規則を満足させるために、本発明のこの実施形態では、端末装置は、前記N個の第一ポートに基づいて前記M個の第二ポートを以下の仕方のうちのいずれかで決定してもよい。
【０１２３】
たとえば、前記M個の第二ポートに対応するM個のアンテナが、前記N個の第一ポートに対応するN個のアンテナに属してもよい。
【０１２４】
もう一つの例として、前記N個の第一ポートに対応するN個のアンテナが前記M個の第二ポートに対応するM個のアンテナに属してもよい。
【０１２５】
もう一つの例として、前記M個の第二ポートに対応するM個のアンテナと前記N個の第一ポートに対応するN個のアンテナとにおける同じアンテナの数はPであるとする。この場合、前記M個のアンテナは：
M＋N−P≦T
を成り立たせてもよい。
【０１２６】
もう一つの例として、任意的に、端末装置が、第一のチャネルのために第一の時間単位内で使用されるN個の第一ポートに基づいて、前記第一の時間単位内で第二のチャネルに対応するM個の第二ポートを決定することは：
前記端末装置によって、前記少なくとも二つの第一ポート群から目標第一ポート群を決定する段階であって、前記N個の第一ポートは同じポート群に属し、前記目標第一ポート群は前記N個の第一ポートを含む、段階と；
前記端末装置によって、前記マッピング関係情報に基づいて、前記少なくとも二つの第二ポート群から、前記目標第一ポート群に対応する目標第二ポート群を決定する段階と；
前記端末装置によって、前記目標第二ポート群から前記M個の第二ポートを決定する段階とを含む。
【０１２７】
具体的には、前記N個の第一ポートが同じ第一ポート群（前記第一の型の第一ポート群の例；理解および記述の簡単のため第一ポート群＃Ａと記される）に属するとき、端末装置はさらに、前記マッピング関係情報（たとえば表１または表２）に基づいて、前記第一ポート群＃Ａに対応する第二ポート群（前記第一の型の第二ポート群の例；第二ポート群＃Ａと記される）を決定してもよい。上記のように、一つのアンテナは一つのアンテナ群にのみ属し、少なくとも二つのアンテナ群は少なくとも二つの第一ポート群と一対一対応にあり、前記少なくとも二つのアンテナ群は少なくとも二つの第二ポート群と一対一対応にあり、同じアンテナ群に対応する第一ポート群および第二ポート群は互いに対応する。よって、端末装置が同じ時間単位内に、第一ポート群＃Ａにおけるポートの第一のチャネル（または第一の信号）および第二ポート群＃Ａにおけるポートの第二のチャネル（または第二の信号）を送信するとき、端末装置はアンテナ切り換えを実行する必要がない。
【０１２８】
その後、端末装置は、第二のポート群＃ＡからM個のポートを前記第二ポートとして選択してもよい。
【０１２９】
限定ではなく例として、第二ポートは、第二ポート群＃Ａにおけるすべてのポートであってもよく、あるいは第二ポートは、第二ポート群＃Ａにおけるいくつかのポートであってもよい。これは本発明のこの実施形態において特に限定されない。
【０１３０】
本発明のこの実施形態において、Nの具体的な値は必要に応じてランダムに設定されてもよく、これは本発明のこの実施形態において特に限定されないことを注意しておくべきである。たとえば、第一の信号（または第一のチャネルによって伝送される信号）がSRSであるとき、Nの具体的な値は、下りリンク伝送のために使われるアンテナの数に基づいて、端末装置によって決定されてもよい。さらに、Mの具体的な値は必要に応じてランダムに設定されてもよく、これは本発明のこの実施形態において特に限定されない。たとえば、第二のチャネル（または第二のチャネルを伝送するために使われるチャネル）がPUSCHであるとき、Nの具体的な値は、上りリンク・チャネルのチャネル状態に基づいて、端末装置によって決定されてもよい。
【０１３１】
図４は、本発明のある実施形態に基づくSRSおよびPUSCHのための伝送モードの例を示している。図４に示されるように、サブフレームA（第一の時間単位の例）においては、SRS（第一の信号の例）はポート＃ａ０ないしポート＃ａ３（N個の第一ポートの例）に対応し、PUSCH（第二のチャネルの例）はポート＃ｂ０ないしポート＃ｂ３（M個の第二ポートの例）に対応する。ポート＃ａ０ないしポート＃ａ３およびポート＃ｂ０ないしポート＃ｂ３に対応するアンテナの上記で決定された数（すなわち4）はT以下である。よって、サブフレームA内では、端末装置はSRSおよびPUSCHの送信のためにアンテナ切り換えを実行する必要はない。
【０１３２】
さらに、図４に示されるように、サブフレームB（第一の時間単位の例）においては、SRS（第一の信号のもう一つの例）はポート＃ａ４ないしポート＃ａ７（N個の第一ポートのもう一つの例）に対応し、PUSCH（第二のチャネルのもう一つの例）はポート＃ｂ’０ないしポート＃ｂ’３（M個の第二ポートのもう一つの例）に対応する。ポート＃ａ４ないしポート＃ａ７およびポート＃ｂ’０ないしポート＃ｂ’３に対応するアンテナの上記で決定された数（すなわち4）はT以下である。よって、サブフレームB内では、端末装置はSRSおよびPUSCHの送信のためにアンテナ切り換えを実行する必要はない。
【０１３３】
本発明のこの実施形態では、同じ時間単位（たとえば一つのサブフレーム）内において、PUSCHのための物理的なアンテナはSRSのための物理的なアンテナと同じである。よって、該時間単位内で、アンテナ（またはアンテナ・ポート）切り換えは実行される必要がなく、アンテナ・ポート切り換えは、PUSCHの前にのみ実行されればよい。この場合、PUSCHが下りリンク・サブフレームと上りリンク・サブフレームの接合部にある場合、切り換え時間は下りリンクから上りリンクへの切り換え時間に重なってもよく、追加的なアンテナ切り換え時間は要求されない。あるいはまた、PUSCHが二つの上りリンク・サブフレームの間にある場合には、PUSCHのための第一のシンボルは、マルチパス干渉によって影響を受けることが許容されることがある。この場合、PUSCHパフォーマンスの若干の損失が生じることがある。しかしながら、PUSCHは合同エンコードされるので、その損失は限られており、よって、追加的なアンテナ切り換え時間は要求されない。結論として、本発明のこの実施形態における無線通信方法によれば、アンテナ切り換え時間は、時間単位前にも時間単位内にも要求されない。
【０１３４】
この解決策はPUSCHとSRSに限定されるものでも、LTEのようなフレーム構造に限定されるものでも、チャネルのシンボルの数やチャネルのシーケンスやポートの数において限定されるものでもないことを注意しておくべきである。重要な点は、異なるチャネル・ポート群の間の対応である。
【０１３５】
図５、図６、図７はそれぞれ、本発明のある実施形態に基づくSRS、PUSCHおよびPUCCHのための伝送モードの例を示している。図５、図６または図７に示されるように、サブフレームA（第一の時間単位の例）においては、SRS（第一の信号の例）はポート＃ａ０ないしポート＃ａ３（N個の第一ポートの例）に対応し、PUSCH（第二のチャネルの例）はポート＃ｂ０ないしポート＃ｂ３（M個の第二ポートの例）に対応し、PUCCH（第二のチャネルのもう一つの例）はポート＃ｃ０（M個の第二ポートのもう一つの例；たとえばポート＃ｃ０がアンテナ＃０に対応してもよい）に対応する。ポート＃ａ０ないしポート＃ａ３、ポート＃ｂ０ないしポート＃ｂ３およびポート＃ｃ０に対応するアンテナの上記で決定された数（すなわち4）はT以下である。よって、サブフレームA内では、端末装置はSRSおよびPUSCHの送信のためにアンテナ切り換えを実行する必要はない。
【０１３６】
さらに、図５、図６または図７に示されるように、サブフレームB（第一の時間単位の例）においては、SRS（第一の信号のもう一つの例）はポート＃ａ４ないしポート＃ａ７（N個の第一ポートのもう一つの例）に対応し、PUSCH（第二のチャネルのもう一つの例）はポート＃ｂ’０ないしポート＃ｂ’３（M個の第二ポートのもう一つの例）に対応し、PUCCH（第二のチャネルのもう一つの例）はポート＃ｃ’０（M個の第二ポートのもう一つの例；たとえばポート＃ｃ’０がアンテナ＃４に対応してもよい）に対応する。ポート＃ａ４ないしポート＃ａ７、ポート＃ｂ’０ないしポート＃ｂ’３およびポート＃ｃ’０に対応するアンテナの上記で決定された数（すなわち4）はT以下である。よって、サブフレームB内では、端末装置はSRSおよびPUSCHの送信のためにアンテナ切り換えを実行する必要はない。
【０１３７】
さらに、図５、図６、図７の間の差は、図５に示される例では、PUSCHおよびPUCCHが周波数分割多重様式で伝送され、図６に示される例では、PUSCHおよびPUCCHが時分割多重様式で伝送され、図７に示される例では、PUSCHおよびPUCCHが該時分割多重化様式で伝送され、図７に示される例では、PUCCHおよびSRSが同じシンボルを使って伝送される、という点にある。
【０１３８】
S220において、端末装置は、第一のチャネルまたは第一の信号を、上記で決定された第一ポートに基づいて送り、第二のチャネルまたは第二の信号を、上記で決定された第二ポートに基づいて送ってもよい。
【０１３９】
限定ではなく例として、本発明のこの実施形態では、端末装置は第一のチャネルまたは第一の信号および第二の信号または第二の信号を、下記の二つの様式で送りうる。
【０１４０】
様式１
任意的に、端末装置が、前記第一の時間単位内に、第一のチャネルまたは第一の信号をN個の第一ポートを使って送り、端末装置が、前記第一の時間単位内に、第二のチャネルまたは第二の信号をM個の第二ポートを使って送ることは：
前記端末装置によって、前記第一の時間単位の第一の時間期間内に、前記第一のチャネルまたは前記第一の信号を前記N個の第一ポートを使って送り、前記端末装置によって、前記第一の時間単位の第二の時間期間内に、前記第二のチャネルまたは前記第二の信号を前記M個の第二ポートを使って送ることを含む。
【０１４１】
具体的には、本発明のこの実施形態では、端末装置は第一のチャネルおよび第二のチャネルを、前記第一の時間単位（たとえば一つの上りリンク・サブフレーム）内で時分割多重様式で、異なる時間期間（たとえば異なるシンボル）において送ってもよい。
【０１４２】
様式２
任意的に、端末装置が、前記第一の時間単位内に、前記第一のチャネルまたは前記第一の信号を前記N個の第一ポートを使って送り、端末装置が、前記第一の時間単位内に、前記第二のチャネルまたは前記第二の信号を前記M個の第二ポートを使って送ることは：
前記端末装置によって、前記第一の時間単位内に、前記第一のチャネルまたは前記第一の信号を前記N個の第一ポートを使って第一の周波数帯域で送り、前記第二のチャネルまたは前記第二の信号を前記M個の第二ポートを使って第二の周波数帯域で送ることを含む。
【０１４３】
具体的には、本発明のこの実施形態では、端末装置は第一のチャネルおよび第二のチャネルを、前記第一の時間単位（たとえば一つの上りリンク・サブフレーム）内で周波数分割多重様式で、異なる周波数帯域（たとえば異なる搬送波）において送ってもよい。
【０１４４】
上記に挙げた様式１および様式２は別個に使われてもよく、あるいは組み合わせて使われてもよいことを理解しておくべきである。これは、本発明のこの実施形態において特に限定されない。
【０１４５】
任意的に、本発明はさらに：
前記端末装置によって、ネットワーク装置によって送られた、前記第二のチャネルまたは前記第二の信号についての信号情報を受信する段階であって、前記信号情報は前記M個の第二ポートに基づいて前記ネットワーク装置によって決定されたものである、段階を含み、
端末装置が、前記第一の時間単位内に、前記第二のチャネルまたは前記第二の信号を前記M個の第二ポートを使って送ることは：
前記端末装置によって、前記第一の時間単位内に、前記第二のチャネルまたは前記第二の信号を前記M個の第二ポートを使うことによって前記信号情報に基づいて送ることを含む。
【０１４６】
具体的には、本発明のこの実施形態では、端末装置が第二のチャネルまたは第二の信号（たとえばPUSCHおよび／またはPUCCH）を伝送する前に、端末装置はさらに、ネットワーク装置によって送られた、前記第二のチャネルまたは前記第二のチャネルについての信号情報（または構成設定情報またはスケジューリング情報）を受け取ってもよい。前記信号情報は、前記第二のチャネルまたは前記第二の信号（たとえばPUSCHおよび／またはPUCCH）が伝送されるときに使われる伝送パラメータを示してもよい。限定ではなく例として、伝送パラメータは下記のパラメータのうちの一つまたは複数を含んでいてもよい。
【０１４７】
Ａ．波形パラメータ
波形パラメータまたは波形のパラメータは、波形を示すまたは決定することができるパラメータである。
【０１４８】
限定ではなく例として、本発明のこの実施形態において、波形パラメータは、下記のパラメータのうちの少なくとも一つを含んでいてもよい：
A1.直交周波数分割多重（Orthogonal  Frequency  Division  Multiplexing、OFDM）技術において使われる波形パラメータ；
A2.単一搬送波周波数分割多重アクセス（Single-carrier  Frequency-Division  Multiple  Access、SC-OFDM）において使われる波形パラメータ；
A3.フィルタ直交周波数分割多重（filter  OFDM）技術において使われる波形パラメータ；
A4.ユニバーサル・フィルタード・マルチキャリア（Universal  Filtered  Multi-Carrier、UFMC）技術において使われる波形パラメータ；
A5.フィルターバンク・マルチキャリア（Filter  Bank  Multicarrier、FBMC）技術において使われる波形パラメータ；
A6.一般化周波数分割多重（Generalized  Frequency  Division  Multi-plex、GFDM）技術において使われる波形パラメータ。
【０１４９】
Ｂ．変調方式
通信技術において、通信効果を保証し、長距離信号伝送における問題を克服するために、信号スペクトルは変調を通じて、伝送のために高周波数チャネルに移される必要がある。送られるべき信号を高周波数信号に負わせるこのプロセスが変調と呼ばれる。限定ではなく例として、本発明のこの実施形態において、変調方式は、下記の方式の少なくとも一つを含んでいてもよい：
B1.振幅シフト・キーイング（Amplitude  Shift  Keying、ASK）変調；
B2.位相シフト・キーイング（Phase  Shift  Keying、PSK）変調；
B3.周波数シフト・キーイング（Frequency  Shift  Keying、FSK）変調；
B4.直交振幅変調（Quadrature  Amplitude  Modulation、QAM）；
B5.最小シフト・キーイング（Minimum  Shift  Keying、MSK）変調；
B6.ガウシアン・フィルタード最小シフト・キーイング（Gaussian  Filtered  Minimum  Shift  Keying、GMSK）変調；および
B7.OFDM変調。
【０１５０】
Ｃ．帯域幅構成
本発明のこの実施形態において、帯域幅構成は、エア・インターフェースによって要求される周波数領域資源の使用される幅でありうる。限定ではなく例として、ワイドバンド伝送サービスに対応する帯域幅構成は、エア・インターフェースによって要求される最小の周波数領域資源幅またはサブキャリアの最小数であってもよく；ナローバンド伝送サービスに対応する帯域幅構成は、エア・インターフェースによって要求される最大の周波数領域資源幅またはサブキャリアの最大数であってもよい。
【０１５１】
Ｄ．無線フレーム構成モード
D1.サブキャリア間隔；
D2.シンボル継続時間；
D3.サイクリック・プレフィックス（Cyclic  Prefix、CP）；
D4.複信モード：たとえば複信モードは、全二重モード、半二重モード（半二重上りリンク・下りリンク構成を含む）または柔軟な複信モードであってもよい。いくつかのエア・インターフェースについては、複信モードは固定であってもよく、あるいは柔軟であってもよく、本発明のこの実施形態においてこれは特に限定されないことを注意しておくべきである；
D5.伝送時間区間（Transmission  Time  Interval、TTI）：いくつかのエア・インターフェースについては、伝送時間区間は固定値であってもよく、あるいは柔軟に変更されてもよく、本発明のこの実施形態においてこれは特に限定されない；
D6.無線フレーム継続時間および無線サブフレーム継続時間。
【０１５２】
Ｅ．資源多重化様式
限定ではなく例として、本発明のこの実施形態において、資源多重化方式は、下記の様式のうちの少なくとも一つを含んでいてもよい：
E1.周波数分割多重（Frequency  Division  Multiplexing、FDM）：チャネル伝送のために使われる全帯域幅がいくつかの周波数サブバンド（あるいはサブチャネルと称される）に分割される。ここで、各サブチャネルが一つの信号を伝送する。周波数分割多重は、全周波数幅がサブチャネルの周波数の和より大きいことを要求する。さらに、サブチャネルにおいて伝送される信号の間の相互干渉を避けるために、サブチャネルの間に隔離帯域が設定される必要がある。このようにして、信号間の相互干渉が避けられる（一つの条件）。
【０１５３】
E2.時分割多重（Time  Division  Multiplexing、TDM）：同じ物理接続が、異なる信号を異なる時間期間において伝送するために使われる。それにより、複数の伝送ラインも達成されることができる。時分割多重では、時間が信号分離のためのパラメータとして使われ、よって、信号がタイムラインにおいて互いに重ならないことが要求される。時分割多重は、情報を伝送するためにあるチャネルのために提供される時間がいくつかの時間セグメント（略して時間スロット）に分割され、これらの時間スロットが使用のために信号源に割り当てられることを意味する。
【０１５４】
E3.空間分割多重（Space  Division  Multiplexing、SDM）：同じ周波数帯域が異なる空間において繰り返し使われる。モバイル通信では、空間分割を実装できる基本的な技術は、アダプティブアレイ・アンテナを使って異なるユーザー方向において異なるビームを形成することである。さらに、空間分割は、異なるユーザーを区別するために使われてもよく、各ビームは、他のユーザーによって干渉されない一つのチャネルを提供してもよく、あるいは空間分割は同じユーザーの異なるデータを区別するために使われてもよく、あるいは空間分割はよりよい利得を達成するよう、同じユーザーの同じデータを区別するために使われてもよい。
【０１５５】
E4.符号分割多重（Code  Division  Multiplexing、CDM）：もとの信号を区別するために異なる符号が使われる多重化様式。限定ではなく例として、符号分割多重アクセス（Code  Division  Multiple  Access、CDMA）、周波数分割多重アクセス（Frequency  Division  Multiple  Access、FDMA）、時分割多重アクセス（Time  Division  Multiple  Access、TDMA）および同期符号分割多重アクセス（Synchronous  Code  Division  Multiple  Access、SCDMA）が挙げられうる。
【０１５６】
Ｈ．符号化方式
符号化は、通信の有効性を改善する目的で源シンボルに対して実行される変換である。具体的には、符号化は、もとのシンボル・シーケンスが歪みなく復元されることができることを保証しながら、源出力シンボル・シーケンスを最短の符号語シーケンスに変換して、該最短の符号語シーケンスの要素によって担われる平均情報量が最大になるようにするための方法を、源出力シンボル・シーケンスの統計的な特性に基づいて見出すことを意味する。
【０１５７】
限定ではなく例として、本発明のこの実施形態において、挙げられる符号化方式は次のとおり：
H1.極符号（Polar  Code）
H2.ターボ符号（Turbo  Code）
H3.畳み込み符号（Convolution  Code）。
【０１５８】
Ｉ．プロトコル・スタック構成モード
プロトコル・スタック（Protocol  Stack）は、ネットワーク上のプロトコルのすべての層の総体である。プロトコル・スタックは、ネットワーク上でのファイル伝送プロセスを、上位層プロトコルから下位層プロトコルに、次いで下位層プロトコルから上位層プロトコルへ、ビビッドに反映する。限定ではなく例として、本発明のこの実施形態では、無線通信において使われるプロトコル・スタックは、以下のプロトコル層のうちの少なくとも一つのプロトコル層または複数のプロトコル層の組み合わせを含んでいてもよく、各プロトコル層は複数のプロトコル・エンティティを有していてもよい。
【０１５９】
I1.パケット・データ・コンバージェンス・プロトコル（Packet  Data  Convergence  Protocol、PDCP）層
I2.無線リンク制御（Radio  Link  Control、RLC）層
I3.媒体アクセス制御（Media  Access  Control、MAC）層
I4.物理（Physical）層
I5.無線資源制御（Radio  Resource  Control、RRC）層。
【０１６０】
Ｊ．多重アクセス・モード
多重化とは異なり、多重アクセス技術は、すべての情報が一緒に集まることを要求せず、代わりに、情報は別個にチャネルに変調され、変調を通じて得られる必要とされる情報はチャネルから別個に得られる。限定ではなく例として、本発明のこの実施形態では、無線通信において使われる多重アクセス・モードは、下記のモードのうちの少なくとも一つを含んでいてもよい：
J1.FDMA
J2.TDMA
J3.CDMA
J4.SCMA
J5.非直交多重アクセス（Non  Orthogonal  Multiple  Access、NOMA）
J6.マルチユーザー共有アクセス（Multi-User  Shared  Access、MUSA）。
【０１６１】
第二のチャネルまたは第二の信号についての信号情報に含まれる上記で挙げた具体的内容は単に記述のための例であり、本発明のこの実施形態はそれに限定されないことを理解しておくべきである。事前に指定された仕方でネットワーク装置および端末装置において決定されることのできる他の任意の従来技術のパラメータまたは情報が、本発明のこの実施形態の保護範囲にはいる。
【０１６２】
本発明のこの実施形態において、ネットワーク装置は、第一ポートに基づいて第二ポートを決定しうる。このプロセスは、第一ポートに基づいて端末装置によって第二ポートを決定する上記のプロセスと同様でありうる。ここでは、繰り返しを避けるために、その詳細な記述は割愛される。
【０１６３】
次いで、ネットワーク装置は、第二ポートに基づいて、第二のチャネル（たとえばPUSCHおよび／またはPUCCH）のチャネル状態（たとえばチャネル品質）を決定するよう、第一の時間単位内で第二のチャネル（たとえばPUSCHおよび／またはPUCCH）を決定してもよい。このようにして、ネットワーク装置は、第二のチャネル（たとえばPUSCHおよび／またはPUCCH）のチャネル状態に基づいて、第二のチャネルまたは第二の信号についての信号情報（または伝送パラメータ）を決定しうる。
【０１６４】
限定ではなく例として、たとえば、第一の時間単位内の第二のチャネル（たとえばPUSCHおよび／またはPUCCH）のチャネル品質が比較的貧弱である場合、ネットワーク装置は、比較的低い変調次数を構成してもよい。
【０１６５】
このようにして、端末装置は、第二のチャネルまたは第二の信号についての信号情報（または伝送パラメータ）に基づいて、第一の時間単位内の第二のチャネル（たとえばPUSCHおよび／またはPUCCH）の構成設定パラメータを決定してもよい。該構成設定パラメータに基づいて第一の時間単位内で第二のチャネル（たとえばPUSCHおよび／またはPUCCH）を伝送するためである。
【０１６６】
本発明のこの実施形態に基づく無線通信方法によれば、PUSCHのための複数の任意的なポートが提供される；よって、PUSCH伝送パラメータは、選択されたポートに基づいて適応的に変更されうる。このようにして、本発明のこの実施形態における無線通信方法のパフォーマンスがさらに改善されることができる。
【０１６７】
任意的に、第一の時間期間および／または第二の時間期間の前に事前設定された保護区間がある。
【０１６８】
具体的には、たとえば、図８は、本発明のある実施形態に基づくSRS（第一のチャネルの例）およびPUSCH（第二のチャネルの例）のための伝送モードの例を示している。図８に示されるように、時間区間（保護区間の例）がSRSとPUSCHの間に設定されてもよい。さらに、該時間区間は、端末装置が同じアンテナを使ってSRSおよびPUSCHを送信するときに実行されるチャネル切り換えの時間に対応してもよい。たとえば、該時間区間は、チャネル切り換え時間以上である。このように、本発明のこの実施形態における無線通信の信頼性がさらに改善されることができる。
【０１６９】
もう一つの例として、図９は、本発明のある実施形態に基づくPUSCH（第一のチャネルまたは第二のチャネル）のための伝送モードの例を示している。図９に示されるように、それらのPUSCHが上りリンク・サブフレームの開始位置にあれば、それらのPUSCHは二つの上りリンク・サブフレームの間にあることがありうる。この場合、時間区間（保護区間の例）は、それらのPUSCHの前に設定されてもよい。このようにして、PUSCH（具体的にはPUSCHについての第一のシンボル）はアンテナ切り換えによって影響されることを防止されることができ、本発明のこの実施形態における無線通信の信頼性がさらに改善されることができる。
【０１７０】
本発明のこの実施形態における無線通信方法によれば、第一のチャネルまたは第一の信号のために第一の時間単位内で使われる第一ポートが決定され、第二のチャネルまたは第二の信号のために第一の時間単位内で使われる第二ポートは前記第一ポートに基づいて決定され、第一ポートに対応するアンテナと第二ポートに対応するアンテナとにおいて一つまたは複数の同じアンテナがあることがサポートされ、それにより、第一のチャネルまたは第一の信号および第二のチャネルまたは第二の信号が第一の時間単位内で送られるときに送信アンテナ切り換えプロセスが要求されないことがサポートされる。このようにして、無線通信パフォーマンスが改善される。
【０１７１】
さらに、本発明のこの実施形態のもう一つの実装では、代替的に、第一のチャネルまたは第一の信号のために使われるポートは従来技術の仕方で決定されてもよく、第二のチャネルまたは第二の信号のために使われるポートも従来技術の仕方で決定されてもよい。たとえば、第二のチャネルまたは第二の信号のために使われるポートは、第一のチャネルまたは第一の信号のために使われるポートに基づかずに決定されてもよい。この場合、第一のチャネルまたは第一の信号および第二のチャネルまたは第二の信号は同じ時間単位の異なる時間期間において送られる。たとえば、第一のチャネルまたは第一の信号は時間期間＃１において送られ、第二のチャネルまたは第二の信号は時間期間＃２において送られる。この場合、保護区間が時間期間＃１と時間期間＃２との間に設定されてもよい。さらに、保護区間は、送信アンテナ切り換えを実行するために端末装置に要求される継続時間に対応してもよい。たとえば、保護区間は、端末装置が送信アンテナ切り換えを実行するために必要とされる継続時間以上であってもよい。このようにして、伝送の信頼性および正確さが改善されることができる。
【０１７２】
さらに、二つの隣接する時間単位において、タイミングにおいて先のほうの送信のための時間単位の最後のシンボルにおいて担持される最後のチャネルまたは信号に対応するアンテナが第一のアンテナであり、タイミングにおいて後のほうの送信のための時間単位において担持される最初のチャネルまたは信号に対応するアンテナが第二のアンテナであるとする。すると、第一のアンテナが第二のアンテナと異なることが可能である。この場合、本発明のこの実施形態において、保護区間は、それぞれの時間単位の最初のチャネルまたは信号の前に設定されてもよい。さらに、保護区間は、端末装置が送信アンテナ切り換えを実行するために要求される継続時間に対応してもよい。たとえば、保護区間は、端末装置が電送アンテナ切り換えを実行するために要求される継続時間以上であってもよい。このようにして、伝送の信頼性および正確さが改善されることができる。
【０１７３】
図１０ないし図１２は、本発明の実施形態に基づく、保護区間設定様式の概略図である。
【０１７４】
図１０に示されるように、保護区間は、PUSCH（第一のチャネルまたは第一の信号の例）のためのシンボルと、SRS（第二のチャネルまたは第二の信号の例）との間に設定され、各サブフレームにおいて、ポート＃ｂ０ないしポート＃ｂ３のみがPUSCHのために使われる。このようにして、サブフレームAにおいて、PUSCHのためのポートおよびSRSのためのポートは同じアンテナに対応する。サブフレームBでは、PUSCHのためのポートおよびSRSのためのポートは異なるアンテナに対応する。しかしながら、保護区間が設定されているので、サブフレームBでは、PUSCHとSRSの間の伝送区間は、アンテナ切り換えのために要求される継続時間を満たすことができる。このようにして、PUSCHおよびSRSの伝送の信頼性および正確さが保証されることができる。さらに、サブフレームAにおけるSRSおよびサブフレームBにおけるPUSCHは異なるアンテナに対応する。しかしながら、保護区間がサブフレームBにおけるPUSCHの前に設定されているので、よって、サブフレームAにおけるSRSとサブフレームBにおけるPUSCHの間の伝送区間は、アンテナ切り換えのために要求される継続時間を満たすことができる。このようにして、PUSCHおよびSRSの伝送の信頼性および正確さが保証されることができる。
【０１７５】
図１１または図１２において、一つのサブフレームにおいて、隣接するSRSについてのポートは異なるアンテナに対応する。この場合、保護区間は、異なるポートに対応する隣接するSRSシンボルの間に設定されてもよい。このようにして、SRSの伝送の信頼性および正確さが保証されることができる。
【０１７６】
さらに、図１２に示されるように、PUSCHのためのポートおよびSRSのためのポートが同じアンテナに対応するときは、保護区間はPUSCHとSRSの間に設定されなくてもよい。
【０１７７】
図１３は、ネットワーク装置の観点から記述される無線通信方法３００の概略的なフローチャートである。
【０１７８】
S310。ネットワーク装置が、端末装置の第一のチャネルまたは第一の信号のために第一の時間単位内で使用されるN個の第一ポートに基づいて、前記端末装置の第二のチャネルまたは第二の信号のために前記第一の時間単位内で使用されるM個の第二ポートを決定する。ここで、T≧N≧1、T≧M≧1であり、Tは信号送信中に前記端末装置によって同時に使用可能なポートの最大数である。
【０１７９】
S320。ネットワーク装置が、前記M個の第二ポートに基づいて、前記第二のチャネルまたは前記第二の信号についての信号情報を決定する。
【０１８０】
S330。ネットワーク装置が、前記信号情報を前記端末装置に送る。
【０１８１】
S340。ネットワーク装置が、前記端末装置によって送られた前記第一のチャネルまたは前記第一の信号および前記端末装置によって送られた前記第二のチャネルまたは前記第二の信号を、前記第一の時間単位内に受信する。前記第一のチャネルまたは前記第一の信号は前記端末装置によって前記N個の第一ポートを使って送られ、前記第二のチャネルまたは前記第二の信号は前記端末装置によって前記M個の第二ポートを使って前記信号情報に基づいて送られる。
【０１８２】
任意的に、本方法はさらに：
前記ネットワーク装置によって、少なくとも二つの第一ポート群を決定する段階であって、各第一ポート群は、第一のチャネルまたは第一の信号のために使われる、前記端末装置の少なくとも一つのポートを含み、各第一ポート群に含まれるポートの数は最大数T以下である、段階と；
前記ネットワーク装置によって、少なくとも二つの第二ポート群を決定する段階であって、各第二ポート群は、第二のチャネルまたは第二の信号のために使われる、前記端末装置の少なくとも一つのポートを含み、各第二ポート群に含まれるポートの数は最大数T以下である、段階と；
前記端末装置によって、マッピング関係情報を取得する段階であって、前記マッピング関係情報は、前記少なくとも二つの第一ポート群と前記少なくとも二つの第二ポート群との間の一対一対応を示すために使われる、段階とを含み、
ネットワーク装置によって、端末装置の第一のチャネルまたは第一の信号のために第一の時間単位内で使用されるN個の第一ポートに基づいて、前記端末装置の第二のチャネルまたは第二の信号のために前記第一の時間単位内で使われるM個の第二ポートを決定する前記段階は：
前記ネットワーク装置によって、前記少なくとも二つの第一ポート群から目標第一ポート群を決定する段階であって、前記N個の第一ポートは同じポート群に属し、前記目標第一ポート群は前記N個の第一ポートを含む、段階と；
前記ネットワーク装置によって、前記マッピング関係情報に基づいて、前記少なくとも二つの第二ポート群から、前記目標第一ポート群に対応する目標第二ポート群を決定する段階と；
前記ネットワーク装置によって、前記目標第二ポート群から前記M個の第二ポートを決定する段階とを含む。
【０１８３】
任意的に、本方法はさらに：
前記ネットワーク装置によって、前記端末装置によって送られた第一の指示情報を受信する段階であって、前記第一の指示情報は、チャネルまたは信号の送信の間に前記端末装置によって同時に使用可能なポートの最大数Tを示すために使われる、段階と；
前記ネットワーク装置によって、前記第一の指示情報に基づいて最大数Tを決定する段階とを含む。
【０１８４】
任意的に、本方法はさらに：
前記ネットワーク装置によって、第二の指示情報を前記端末装置に送る段階であって、前記第二の指示情報は、前記N個の第一ポートを示すために使われる、段階を含む。
【０１８５】
任意的に、前記ネットワーク装置によって、前記第一の時間単位内に、前記端末装置によって送られた前記第一のチャネルまたは前記第一の信号および前記端末装置によって送られた前記第二のチャネルまたは前記第二の信号を受信する前記段階は：
前記ネットワーク装置によって、前記第一の時間単位の第一の時間期間内に、前記第一のチャネルまたは前記第一の信号を受信し、前記ネットワーク装置によって、前記第一の時間単位の第二の時間期間内に前記第二のチャネルまたは前記第二の信号を受信することを含む。
【０１８６】
任意的に、前記第一の時間期間および／または前記第二の時間期間の前に事前設定された保護区間がある。
【０１８７】
任意的に、前記ネットワーク装置によって、前記第一の時間単位内に、前記端末装置によって送られた前記第一のチャネルまたは前記第一の信号および前記端末装置によって送られた前記第二のチャネルまたは前記第二の信号を受信する前記段階は：
前記ネットワーク装置によって、前記第一の時間単位内に、前記第一のチャネルまたは前記第一の信号を第一の周波数帯域で、前記第二のチャネルまたは前記第二の信号を第二の周波数帯域で受信することを含む。
【０１８８】
任意的に、前記第一の信号は探測参照信号SRSであり、前記第二のチャネルは物理上りリンク・データ・チャネルPUSCHまたは物理上りリンク制御チャネルPUCCHである；または
前記第一のチャネルはPUSCHまたはPUCCHであり、前記第二の信号はSRSである。
【０１８９】
任意的に、一つの時間単位は少なくとも一つのサブフレームを含む；または
一つの時間単位は少なくとも一つの時間スロットを含む；または
一つの時間単位は少なくとも二つのシンボルを含む。
【０１９０】
方法３００におけるネットワーク装置のアクションは方法２００におけるネットワーク装置のアクションと同様であり、方法３００における端末装置のアクションは方法２００における端末装置のアクションと同様である。ここでは、繰り返しを避けるために、その詳細な記述は割愛される。
【０１９１】
本発明のこの実施形態における無線通信方法によれば、第一のチャネルまたは第一の信号のために第一の時間単位内で使用される第一ポートが決定され、第二のチャネルまたは第二の信号のために前記第一の時間単位内で使用される第二ポートが、それらの第一ポートに基づいて決定される。それにより、第一ポートに対応するアンテナおよび第二ポートに対応するアンテナにおいて一つまたは複数の同じアンテナがあることがサポートされ、それにより第一のチャネルまたは第一の信号および第二のチャネルまたは第二の信号が前記第一の時間単位内に送られるときに送信アンテナ切り換えプロセスが必要とされないことがサポートされる。このようにして、無線通信パフォーマンスが改善される。さらに、前記端末装置が前記第二のチャネルまたは前記第二の信号を送るときに使われる構成設定パラメータを示すために使われる信号情報を、ネットワーク装置に、前記M個の第二ポートに基づいて決定させることによって、またネットワーク装置をして該信号情報を端末装置に送らせることによって、第二のチャネルまたは第二の信号の伝送精度および信頼性が改善でき、通信パフォーマンスがさらに改善される。
【０１９２】
図１ないし図１３を参照して、上記は本発明の実施形態に基づく無線通信方法を詳細に記述している。図１４および図１５を参照して、下記は本発明の実施形態に基づく無線通信装置を詳細に記述する。
【０１９３】
図１４は、本発明のある実施形態に基づく無線通信装置４００の概略的なブロック図である。図１４に示されるように、装置４００は：
第一のチャネルまたは第一の信号のために第一の時間単位内で使用されるN個の第一ポートに基づいて、第二のチャネルまたは第二の信号のために前記第一の時間単位内で使用されるM個の第二ポートを決定するよう構成された決定ユニット４１０であって、T≧N≧1、T≧M≧1であり、Tは信号送信中に前記端末装置によって同時に使用可能なポートの最大数である、決定ユニットと；
前記第一の時間単位内に、前記第一のチャネルまたは前記第一の信号を前記N個の第一ポートを使って送り、前記第一の時間単位内に、前記第二のチャネルまたは前記第二の信号を前記M個の第二ポートを使って送るよう構成されている通信ユニット４２０とを含む。
【０１９４】
任意的に、前記決定ユニットは：少なくとも二つの第一ポート群を決定する段階であって、各第一ポート群は、第一のチャネルまたは第一の信号のために使われる少なくとも一つのポートを含み、各第一ポート群に含まれるポートの数は最大数T以下である、段階と；
少なくとも二つの第二ポート群を決定する段階であって、各第二ポート群は、第二のチャネルまたは第二の信号のために使われる少なくとも一つのポートを含み、各第二ポート群に含まれるポートの数は最大数T以下である、段階と；
マッピング関係情報を取得する段階であって、前記マッピング関係情報は、前記少なくとも二つの第一ポート群と前記少なくとも二つの第二ポート群との間の一対一対応を示すために使われる、段階と；
前記少なくとも二つの第一ポート群から目標第一ポート群を決定する段階であって、前記N個の第一ポートは同じポート群に属し、前記目標第一ポート群は前記N個の第一ポートを含む、段階と；
前記マッピング関係情報に基づいて、前記少なくとも二つの第二ポート群から、前記目標第一ポート群に対応する目標第二ポート群を決定する段階と；
前記目標第二ポート群から前記M個の第二ポートを決定する段階とを実行するよう構成される。
【０１９５】
任意的に、前記通信ユニットは：ネットワーク装置によって送られた、前記第二のチャネルまたは前記第二の信号についての信号情報を受信する段階であって、前記信号情報は前記M個の第二ポートに基づいて前記ネットワーク装置によって決定されたものである、段階と；
前記第一の時間単位内に、前記第二のチャネルまたは前記第二の信号を前記M個の第二ポートを使うことによって前記信号情報に基づいて送る段階とを実行するよう構成される。
【０１９６】
任意的に、前記通信ユニットは、第一の指示情報を前記ネットワーク装置に送るよう構成され、前記第一の指示情報は、チャネルまたは信号の送信の間に前記端末装置によって同時に使用可能なポートの最大数Tを示すために使われる。
【０１９７】
任意的に、前記通信ユニットは、前記ネットワーク装置によって送られた第二の指示情報を受信するよう構成され、前記第二の指示情報は、前記N個の第一ポートを示すために使われ；
前記決定ユニットは、前記第二の指示情報に基づいて前記N個の第一ポートを決定するよう構成される。
【０１９８】
任意的に、前記通信ユニットは：前記第一の時間単位の第一の時間期間内に、前記第一のチャネルまたは前記第一の信号を前記N個の第一ポートを使って送り、前記第一の時間単位の第二の時間期間内に、前記第二のチャネルまたは前記第二の信号を前記M個の第二ポートを使って送るよう構成される。
【０１９９】
任意的に、前記第一の時間期間および／または前記第二の時間期間の前に、事前設定された保護区間がある。
【０２００】
任意的に、前記通信ユニットは：前記第一の時間単位内に、前記第一のチャネルまたは前記第一の信号を前記N個の第一ポートを使って第一の周波数帯域で送り、前記第二のチャネルまたは前記第二の信号を前記M個の第二ポートを使って第二の周波数帯域で送るよう構成される。
【０２０１】
任意的に、前記第一の信号は探測参照信号SRSであり、前記第二のチャネルは物理上りリンク・データ・チャネルPUSCHまたは物理上りリンク制御チャネルPUCCHである；または
前記第一のチャネルはPUSCHまたはPUCCHであり、前記第二の信号はSRSである。
【０２０２】
任意的に、一つの時間単位は少なくとも一つのサブフレームを含む；または
一つの時間単位は少なくとも一つの時間スロットを含む；または
一つの時間単位は少なくとも二つのシンボルを含む。
【０２０３】
本発明のこの実施形態に基づく無線通信装置４００は、本発明の実施形態における方法における端末装置に対応してもよい。さらに、無線通信装置４００のユニットまたはモジュールおよび上記の他の動作および／または機能は、図３における方法２００の対応する手順を実装することが意図されている。簡潔のため、詳細を繰り返してここで述べることはしない。
【０２０４】
本発明のこの実施形態における無線通信装置によれば、第一のチャネルまたは第一の信号のために第一の時間単位内で使用される第一ポートが決定され、第二のチャネルまたは第二の信号のために前記第一の時間単位内で使用される第二ポートが、それらの第一ポートに基づいて決定される。それにより、第一ポートに対応するアンテナおよび第二ポートに対応するアンテナにおいて一つまたは複数の同じアンテナがあることがサポートされ、それにより第一のチャネルまたは第一の信号および第二のチャネルまたは第二の信号が前記第一の時間単位内に送られるときに送信アンテナ切り換えプロセスが必要とされないことがサポートされる。このようにして、無線通信パフォーマンスが改善される。
【０２０５】
図１５は、本発明のある実施形態に基づく無線通信装置５００の概略的なブロック図である。図１５に示されるように、装置５００は：
端末装置の第一のチャネルまたは第一の信号のために第一の時間単位内で使用されるN個の第一ポートに基づいて、前記端末装置の第二のチャネルまたは第二の信号のために前記第一の時間単位内で使用されるM個の第二ポートを決定する段階であって、T≧N≧1、T≧M≧1であり、Tは信号送信中に前記端末装置によって同時に使用可能なポートの最大数である、段階と；
前記M個の第二ポートに基づいて、前記第二のチャネルまたは前記第二の信号についての信号情報を決定する段階を実行するよう構成された決定ユニット５１０と；
前記信号情報を前記端末装置に送る段階と；
前記端末装置によって送られた前記第一のチャネルまたは前記第一の信号および前記端末装置によって送られた前記第二のチャネルまたは前記第二の信号を、前記第一の時間単位内に受信する段階であって、前記第一のチャネルまたは前記第一の信号は前記端末装置によって前記N個の第一ポートを使って送られ、前記第二のチャネルまたは前記第二の信号は前記端末装置によって前記M個の第二ポートを使って前記信号情報に基づいて送られる、段階とを実行するよう構成された通信ユニット５２０とを含む。
【０２０６】
任意的に、前記決定ユニットは：少なくとも二つの第一ポート群を決定する段階であって、各第一ポート群は、第一のチャネルまたは第一の信号のために使われる、前記端末装置の少なくとも一つのポートを含み、各第一ポート群に含まれるポートの数は最大数T以下である、段階と；
少なくとも二つの第二ポート群を決定する段階であって、各第二ポート群は、第二のチャネルまたは第二の信号のために使われる、前記端末装置の少なくとも一つのポートを含み、各第二ポート群に含まれるポートの数は最大数T以下である、段階と；
マッピング関係情報を取得する段階であって、前記マッピング関係情報は、前記少なくとも二つの第一ポート群と前記少なくとも二つの第二ポート群との間の一対一対応を示すために使われる、段階と；
前記少なくとも二つの第一ポート群から目標第一ポート群を決定する段階であって、前記N個の第一ポートは同じポート群に属し、前記目標第一ポート群は前記N個の第一ポートを含む、段階と；
前記マッピング関係情報に基づいて、前記少なくとも二つの第二ポート群から、前記目標第一ポート群に対応する目標第二ポート群を決定する段階と；
前記目標第二ポート群から前記M個の第二ポートを決定する段階とを実行するよう構成される。
【０２０７】
任意的に、前記通信ユニットは、前記端末装置によって送られた第一の指示情報を受信するよう構成され、前記第一の指示情報は、チャネルまたは信号の送信の間に前記端末装置によって同時に使用可能なポートの最大数Tを示すために使われ；
前記決定ユニットは、前記第一の指示情報に基づいて最大数Tを決定するよう構成される。
【０２０８】
任意的に、前記通信ユニットは、第二の指示情報を前記端末装置に送るよう構成され、前記第二の指示情報は、前記N個の第一ポートを示すために使われる。
【０２０９】
任意的に、前記通信ユニットは、前記第一の時間単位の第一の時間期間内に、前記第一のチャネルまたは前記第一の信号を受信し、前記第一の時間単位の第二の時間期間内に前記第二のチャネルまたは前記第二の信号を受信するよう構成される。
【０２１０】
任意的に、前記第一の時間期間および／または前記第二の時間期間の前に、事前設定された保護区間がある。
【０２１１】
任意的に、前記通信ユニットは：前記第一の時間単位内に、前記第一のチャネルまたは前記第一の信号を第一の周波数帯域で、前記第二のチャネルまたは前記第二の信号を第二の周波数帯域で受信するよう構成される。
【０２１２】
任意的に、前記第一の信号は探測参照信号SRSであり、前記第二のチャネルは物理上りリンク・データ・チャネルPUSCHまたは物理上りリンク制御チャネルPUCCHである；または
前記第一のチャネルはPUSCHまたはPUCCHであり、前記第二の信号はSRSである。
【０２１３】
任意的に、一つの時間単位は少なくとも一つのサブフレームを含む；または
一つの時間単位は少なくとも一つの時間スロットを含む；または
一つの時間単位は少なくとも二つのシンボルを含む。
【０２１４】
本発明のこの実施形態に基づく無線通信装置５００は、本発明の実施形態における方法におけるネットワーク装置に対応してもよい。さらに、無線通信装置５００のユニットまたはモジュールおよび上記の他の動作および／または機能は、図１３における方法３００の対応する手順を実装することが意図されている。簡潔のため、詳細を繰り返してここで述べることはしない。
【０２１５】
本発明のこの実施形態における無線通信装置によれば、第一のチャネルまたは第一の信号のために第一の時間単位内で使用される第一ポートが決定され、第二のチャネルまたは第二の信号のために前記第一の時間単位内で使用される第二ポートが、それらの第一ポートに基づいて決定される。それにより、第一ポートに対応するアンテナおよび第二ポートに対応するアンテナにおいて一つまたは複数の同じアンテナがあることがサポートされ、それにより第一のチャネルまたは第一の信号および第二のチャネルまたは第二の信号が前記第一の時間単位内に送られるときに送信アンテナ切り換えプロセスが必要とされないことがサポートされる。このようにして、無線通信パフォーマンスが改善される。さらに、前記端末装置が前記第二のチャネルまたは前記第二の信号を送るときに使われる構成設定パラメータを示すために使われる信号情報を、ネットワーク装置に、前記M個の第二ポートに基づいて決定させることによって、またネットワーク装置をして該信号情報を端末装置に送らせることによって、第二のチャネルまたは第二の信号の伝送精度および信頼性が改善でき、通信パフォーマンスがさらに改善される。
【０２１６】
図１ないし図１３を参照して、上記は本発明の実施形態に基づく無線通信方法を詳細に記述している。図１６および図１７を参照して、下記は本発明の実施形態に基づく無線通信デバイスを詳細に記述する。
【０２１７】
図１６は、本発明のある実施形態に基づく無線通信デバイス６００の概略的なブロック図である。図１６に示されるように、デバイス６００は：プロセッサ６１０およびトランシーバ６２０を含み、プロセッサ６１０はトランシーバ６２０に接続されている。任意的に、デバイス６００はさらに、メモリ６３０を含み、メモリ６３０はプロセッサ６１０に接続されている。さらに、任意的に、デバイス６００は、バス・システム６６０を含む。プロセッサ６１０、メモリ６３０およびトランシーバ６２０は、バス・システム６６０を使って接続されてもよい。メモリ６３０は命令を記憶するよう構成されてもよい。プロセッサ６１０は、情報または信号を送るようトランシーバ６２０を制御するよう、メモリ６３０に記憶されている命令を実行するよう構成される。
【０２１８】
プロセッサ６１０は、第一のチャネルまたは第一の信号のために第一の時間単位内で使用されるN個の第一ポートに基づいて、第二のチャネルまたは第二の信号のために前記第一の時間単位内で使用されるM個の第二ポートを決定するよう構成されている。ここで、T≧N≧1、T≧M≧1であり、Tは信号送信中に前記端末装置によって同時に使用可能なポートの最大数である。
【０２１９】
プロセッサ６１０は、前記第一の時間単位内に、前記第一のチャネルまたは前記第一の信号を前記N個の第一ポートを使って送り、前記第一の時間単位内に、前記第二のチャネルまたは前記第二の信号を前記M個の第二ポートを使って送るよう、トランシーバ６２０を制御するよう構成されている。
【０２２０】
任意的に、プロセッサ６１０は：少なくとも二つの第一ポート群を決定するよう構成され、各第一ポート群は、第一のチャネルまたは第一の信号のために使われる少なくとも一つのポートを含み、各第一ポート群に含まれるポートの数は最大数T以下である。
【０２２１】
プロセッサ６１０は、少なくとも二つの第二ポート群を決定するよう構成され、各第二ポート群は、第二のチャネルまたは第二の信号のために使われる少なくとも一つのポートを含み、各第二ポート群に含まれるポートの数は最大数T以下である。
【０２２２】
プロセッサ６１０は、マッピング関係情報を取得するよう構成される。前記マッピング関係情報は、前記少なくとも二つの第一ポート群と前記少なくとも二つの第二ポート群との間の一対一対応を示すために使われる。
【０２２３】
プロセッサ６１０は、前記少なくとも二つの第一ポート群から目標第一ポート群を決定するよう構成される。前記N個の第一ポートは同じポート群に属し、前記目標第一ポート群は前記N個の第一ポートを含む。
【０２２４】
プロセッサ６１０は、前記マッピング関係情報に基づいて、前記少なくとも二つの第二ポート群から、前記目標第一ポート群に対応する目標第二ポート群を決定するよう構成される。
【０２２５】
プロセッサ６１０は、前記目標第二ポート群から前記M個の第二ポートを決定するよう構成される。
【０２２６】
任意的に、プロセッサ６１０は、ネットワーク装置によって送られた、前記第二のチャネルまたは前記第二の信号についての信号情報を受信するようトランシーバ６２０を制御するよう構成される。前記信号情報は前記M個の第二ポートに基づいて前記ネットワーク装置によって決定されたものである。
【０２２７】
プロセッサ６１０は、前記第一の時間単位内に、前記第二のチャネルまたは前記第二の信号を前記M個の第二ポートを使うことによって前記信号情報に基づいて送るようトランシーバ６２０を制御するよう構成される。
【０２２８】
任意的に、プロセッサ６１０は、第一の指示情報を前記ネットワーク装置に送るようトランシーバ６２０を制御するよう構成される。前記第一の指示情報は、チャネルまたは信号の送信の間に前記端末装置によって同時に使用可能なポートの最大数Tを示すために使われる。
【０２２９】
任意的に、プロセッサ６１０は、前記ネットワーク装置によって送られた第二の指示情報を受信するようトランシーバ６２０を制御するよう構成され、前記第二の指示情報は、前記N個の第一ポートを示すために使われる。
【０２３０】
プロセッサ６１０は、前記第二の指示情報に基づいて前記N個の第一ポートを決定するよう構成される。
【０２３１】
任意的に、プロセッサ６１０は：前記第一の時間単位の第一の時間期間内に、前記第一のチャネルまたは前記第一の信号を前記N個の第一ポートを使って送り、前記第一の時間単位の第二の時間期間内に、前記第二のチャネルまたは前記第二の信号を前記M個の第二ポートを使って送るようトランシーバ６２０を制御するよう構成される。
【０２３２】
任意的に、前記第一の時間期間および／または前記第二の時間期間の前に、事前設定された保護区間がある。
【０２３３】
任意的に、プロセッサ６１０は：前記第一の時間単位内に、前記第一のチャネルまたは前記第一の信号を前記N個の第一ポートを使って第一の周波数帯域で送り、前記第二のチャネルまたは前記第二の信号を前記M個の第二ポートを使って第二の周波数帯域で送るようトランシーバ６２０を制御するよう構成される。
【０２３４】
任意的に、前記第一の信号は探測参照信号SRSであり、前記第二のチャネルは物理上りリンク・データ・チャネルPUSCHまたは物理上りリンク制御チャネルPUCCHである；または
前記第一のチャネルはPUSCHまたはPUCCHであり、前記第二の信号はSRSである。
【０２３５】
任意的に、一つの時間単位は少なくとも一つのサブフレームを含む；または
一つの時間単位は少なくとも一つの時間スロットを含む；または
一つの時間単位は少なくとも二つのシンボルを含む。
【０２３６】
本発明のこの実施形態に基づく無線通信デバイス６００は、本発明の実施形態における方法における端末装置に対応してもよい。さらに、無線通信デバイス６００のユニットまたはモジュールおよび上記の他の動作および／または機能は、図３における方法２００の対応する手順を実装することが意図されている。簡潔のため、詳細を繰り返してここで述べることはしない。
【０２３７】
本発明のこの実施形態における無線通信デバイスによれば、第一のチャネルまたは第一の信号のために第一の時間単位内で使用される第一ポートが決定され、第二のチャネルまたは第二の信号のために前記第一の時間単位内で使用される第二ポートが、それらの第一ポートに基づいて決定される。それにより、第一ポートに対応するアンテナおよび第二ポートに対応するアンテナにおいて一つまたは複数の同じアンテナがあることがサポートされ、それにより第一のチャネルまたは第一の信号および第二のチャネルまたは第二の信号が前記第一の時間単位内に送られるときに送信アンテナ切り換えプロセスが必要とされないことがサポートされる。このようにして、無線通信パフォーマンスが改善される。
【０２３８】
図１７は、本発明のある実施形態に基づく無線通信デバイス７００の概略的なブロック図である。図１７に示されるように、デバイス７００は、プロセッサ７１０およびトランシーバ７２０を含み、プロセッサ７１０はトランシーバ７２０に接続されている。任意的に、デバイス７００はさらに、メモリ７３０を含み、メモリ７３０はプロセッサ７１０に接続されている。さらに、任意的に、デバイス７００は、バス・システム７７０を含む。プロセッサ７１０、メモリ７３０およびトランシーバ７２０は、バス・システム７７０を使って接続されてもよい。メモリ７３０は命令を記憶するよう構成されてもよい。プロセッサ７１０は、情報または信号を送るようトランシーバ７２０を制御するよう、メモリ７３０に記憶されている命令を実行するよう構成される。
【０２３９】
プロセッサ７１０は：端末装置の第一のチャネルまたは第一の信号のために第一の時間単位内で使用されるN個の第一ポートに基づいて、前記端末装置の第二のチャネルまたは第二の信号のために前記第一の時間単位内で使用されるM個の第二ポートを決定するよう構成される。ここで、T≧N≧1、T≧M≧1であり、Tは信号送信中に前記端末装置によって同時に使用可能なポートの最大数である。
【０２４０】
プロセッサ７１０は、前記M個の第二ポートに基づいて、前記第二のチャネルまたは前記第二の信号についての信号情報を決定するよう構成される。
【０２４１】
プロセッサ７１０は、前記信号情報を前記端末装置に送るようトランシーバ７２０を制御するよう構成される。
【０２４２】
プロセッサ７１０は、前記端末装置によって送られた前記第一のチャネルまたは前記第一の信号および前記端末装置によって送られた前記第二のチャネルまたは前記第二の信号を、前記第一の時間単位内に受信するようトランシーバ７２０を制御するよう構成される。前記第一のチャネルまたは前記第一の信号は前記端末装置によって前記N個の第一ポートを使って送られ、前記第二のチャネルまたは前記第二の信号は前記端末装置によって前記M個の第二ポートを使って前記信号情報に基づいて送られる。
【０２４３】
任意的に、プロセッサ７１０は、少なくとも二つの第一ポート群を決定するよう構成される。各第一ポート群は、第一のチャネルまたは第一の信号のために使われる、前記端末装置の少なくとも一つのポートを含み、各第一ポート群に含まれるポートの数は最大数T以下である。
【０２４４】
プロセッサ７１０は、少なくとも二つの第二ポート群を決定するよう構成される。各第二ポート群は、第二のチャネルまたは第二の信号のために使われる、前記端末装置の少なくとも一つのポートを含み、各第二ポート群に含まれるポートの数は最大数T以下である。
【０２４５】
プロセッサ７１０は、マッピング関係情報を取得するよう構成される。ここで、前記マッピング関係情報は、前記少なくとも二つの第一ポート群と前記少なくとも二つの第二ポート群との間の一対一対応を示すために使われる。
【０２４６】
プロセッサ７１０は、前記少なくとも二つの第一ポート群から目標第一ポート群を決定するよう構成される。前記N個の第一ポートは同じポート群に属し、前記目標第一ポート群は前記N個の第一ポートを含む。
【０２４７】
プロセッサ７１０は、前記マッピング関係情報に基づいて、前記少なくとも二つの第二ポート群から、前記目標第一ポート群に対応する目標第二ポート群を決定するよう構成される。
【０２４８】
プロセッサ７１０は、前記目標第二ポート群から前記M個の第二ポートを決定するよう構成される。
【０２４９】
任意的に、プロセッサ７１０は、前記端末装置によって送られた第一の指示情報を受信するようトランシーバ７２０を制御するよう構成され、前記第一の指示情報は、チャネルまたは信号の送信の間に前記端末装置によって同時に使用可能なポートの最大数Tを示すために使われる。
【０２５０】
プロセッサ７１０は、前記第一の指示情報に基づいて最大数Tを決定するよう構成される。
【０２５１】
任意的に、プロセッサ７１０は、第二の指示情報を前記端末装置に送るようトランシーバ７２０を制御するよう構成される。前記第二の指示情報は、前記N個の第一ポートを示すために使われる。
【０２５２】
任意的に、プロセッサ７１０は：前記第一の時間単位の第一の時間期間内に、前記第一のチャネルまたは前記第一の信号を受信し、前記第一の時間単位の第二の時間期間内に前記第二のチャネルまたは前記第二の信号を受信するようトランシーバ７２０を制御するよう構成される。
【０２５３】
任意的に、前記第一の時間期間および／または前記第二の時間期間の前に、事前設定された保護区間がある。
【０２５４】
任意的に、プロセッサ７１０は、前記第一の時間単位内に、前記第一のチャネルまたは前記第一の信号を第一の周波数帯域で、前記第二のチャネルまたは前記第二の信号を第二の周波数帯域で受信するようトランシーバ７２０を制御するよう構成される。
【０２５５】
任意的に、前記第一の信号は探測参照信号SRSであり、前記第二のチャネルは物理上りリンク・データ・チャネルPUSCHまたは物理上りリンク制御チャネルPUCCHである；または
前記第一のチャネルはPUSCHまたはPUCCHであり、前記第二の信号はSRSである。
【０２５６】
任意的に、一つの時間単位は少なくとも一つのサブフレームを含む；または
一つの時間単位は少なくとも一つの時間スロットを含む；または
一つの時間単位は少なくとも二つのシンボルを含む。
【０２５７】
本発明のこの実施形態に基づく無線通信デバイス７００は、本発明の実施形態における方法におけるネットワーク装置に対応してもよい。さらに、無線通信デバイス７００のユニットまたはモジュールおよび上記の他の動作および／または機能は、図１３における方法３００の対応する手順を実装することが意図されている。簡潔のため、詳細を繰り返してここで述べることはしない。
【０２５８】
本発明のこの実施形態における無線通信デバイスによれば、第一のチャネルまたは第一の信号のために第一の時間単位内で使用される第一ポートが決定され、第二のチャネルまたは第二の信号のために前記第一の時間単位内で使用される第二ポートが、それらの第一ポートに基づいて決定される。それにより、第一ポートに対応するアンテナおよび第二ポートに対応するアンテナにおいて一つまたは複数の同じアンテナがあることがサポートされ、それにより第一のチャネルまたは第一の信号および第二のチャネルまたは第二の信号が前記第一の時間単位内に送られるときに送信アンテナ切り換えプロセスが必要とされないことがサポートされる。このようにして、無線通信パフォーマンスが改善される。さらに、前記端末装置が前記第二のチャネルまたは前記第二の信号を送るときに使われる構成設定パラメータを示すために使われる信号情報を、ネットワーク装置に、前記M個の第二ポートに基づいて決定させることによって、またネットワーク装置をして該信号情報を端末装置に送らせることによって、第二のチャネルまたは第二の信号の伝送精度および信頼性が改善でき、通信パフォーマンスがさらに改善される。
【０２５９】
本発明の実施形態における上記の方法実施形態はプロセッサに適用されてもよく、あるいはプロセッサによって実装されてもよいことを注意しておくべきである。プロセッサは、集積回路チップであってもよく、信号処理機能をもつ。ある実装プロセスでは、上記の方法実施形態における段階は、プロセッサ内のハードウェア集積論理回路を使って、あるいはソフトウェアの形の命令を使って実装されうる。プロセッサは、汎用プロセッサ、デジタル信号プロセッサ（Digital  Signal  Processor、DSP）、特定用途向け集積回路（Application  Specific  Integrated  Circuit、ASIC）、フィールドプログラマブルゲートアレイ（Field  Programmable  Gate  Array、FPGA）または他のプログラム可能な論理デバイス、離散的なゲートまたはトランジスタ論理デバイスまたは離散的なハードウェアコンポーネントでありうる。本発明の実施形態において開示されているすべての方法、段階および論理ブロック図は、プロセッサによって実装または実行されることができる。汎用プロセッサはマイクロプロセッサであってもよく、プロセッサは任意の通常のプロセッサなどであってもよい。本発明の実施形態において開示される方法の段階は、ハードウェア・デコーディング・プロセッサによって直接、実行され、完了されてもよく、あるいはデコーディング・プロセッサにおけるハードウェアおよびソフトウェアの組み合わせを使って実行され、完了されてもよい。ソフトウェア・モジュールは当技術分野における成熟した記憶媒体、たとえばランダムアクセスメモリ、フラッシュメモリ、読み出し専用メモリ、プログラム可能型読み出し専用メモリまたは電気的に消去可能なプログラム可能型メモリまたはレジスタに位置されていてもよい。記憶媒体はメモリに位置されており、プロセッサはメモリ内の情報を読み、プロセッサのハードウェアとの組み合わせで上記方法における段階を完了する。
【０２６０】
本発明の実施形態におけるメモリは、揮発性メモリまたは不揮発性メモリであってもよく、あるいは揮発メモリおよび不揮発性メモリを含んでいてもよい。不揮発性メモリは、読み出し専用メモリ（Read-Only  Memory、ROM）、プログラム可能型読み出し専用メモリ（Programmable  ROM、PROM）、消去可能なプログラム可能型読み出し専用メモリ（Erasable  PROM、EPROM）、電気的に消去可能なプログラム可能型読み出し専用メモリ（Electrically  EPROM、EEPROM）またはフラッシュメモリでありうる。揮発性メモリは、外部キャッシュとして使われるランダムアクセスメモリ（Random  Access  Memory、RAM）であってもよい。限定ではなく例として、RAMの多くの形が利用可能である。たとえば、静的ランダムアクセスメモリ（Static  RAM、SRAM）、動的ランダムアクセスメモリ（Dynamic  RAM、DRAM）、同期動的ランダムアクセスメモリ（Synchronous  DRAM,  SDRAM）、倍速同期動的ランダムアクセスメモリ（Double  Data  Rate  SDRAM、DDR  SDRAM）、向上同期動的ランダムアクセスメモリ（Enhanced  SDRAM、ESDRAM）、シンクリンク動的ランダムアクセスメモリ（Synchlink  DRAM、SLDRAM）および直接ランバス・ランダムアクセスメモリ（Direct  Rambus  RAM、DR  RAM）である。本明細書に記載されるシステム及び方法におけるメモリは、これらのメモリおよび他の任意の適切な型のメモリを含むことを意図しているが、それに限られないことを注意しておくべきである。
【０２６１】
本明細書における用語「および／または」は、関連するオブジェクトを記述するための関連関係を述べるだけであり、三つの関係が存在しうることを表わすことを理解しておくべきである。たとえば、Aおよび／またはBは、次の三つの場合を表わしうる：Aのみが存在する、AおよびBの両方が存在する、Bのみが存在する。加えて、本明細書における記号「／」は、一般に、関連するオブジェクトの間の「または」の関係を示す。
【０２６２】
上記の諸プロセスにおけるシーケンス番号は本発明の実施形態の実行シーケンスを意味するものではなく、本発明の実施形態の実装プロセスに対するいかなる限定としても解釈されるべきではないことを理解しておくべきである。プロセスの実行シーケンスは、プロセスの機能および内部論理に基づいて決定されるべきである。
【０２６３】
当業者は、本明細書において開示される実施形態を参照して記述される例におけるユニットおよびアルゴリズム段階は、電子的ハードウェア、あるいはコンピュータ・ソフトウェアおよび電子的ハードウェアの組み合わせによって実装されてもよいことを認識しうる。機能がハードウェアによって実行されるかソフトウェアによって実行されるかは、技術的解決策の具体的な用途および設計制約条件に依存する。当業者は、それぞれの特定の用途のために、記載される機能を実装するために異なる方法を使ってもよいが、かかる実装が本発明の実施形態の範囲を超えると考えられるべきではない。
【０２６４】
当業者は、便利で簡潔な記述のために、システム、装置およびユニットの詳細な作動プロセスについては、方法実施形態における対応するプロセスが参照されうることを明瞭に理解しうる。詳細をここで再び述べることはしない。
【０２６５】
本願で提供されるいくつかの実施形態では、開示されるシステム、装置および方法が他の仕方で実装されうることが理解されるべきである。たとえば、記載される装置実施形態は単に例である。たとえば、ユニット分割は単に論理的な機能分割であり、実際の実装では他の分割であってもよい。たとえば、複数のユニットまたはコンポーネントが組み合わされ、あるいは別のシステムに統合されてもよいし、あるいはいくつかの特徴が無視されたり、あるいは実行されなかったりしてもよい。さらに、表示されるまたは論じられる相互結合または直接結合または通信接続は、いくつかのインターフェース、装置またはユニットを通じた間接的な結合または通信接続であってもよく、電気的、機械的または他の形でありうる。
【０２６６】
別個の部分として記載されるユニットは、物理的に別個であってもなくてもよい。ユニットとして表示される部分は物理的なユニットであってもなくてもよく、一つの位置に位置していてもよく、あるいは複数のネットワーク・ユニット上に分散されていてもよい。それらのユニットの一部または全部は、実施形態の解決策の目的を達成するために実際の必要性に依存して選択されうる。
【０２６７】
さらに、本発明の各実施形態における機能ユニットは、一つの処理ユニットに統合されてもよく、あるいは各ユニットが物理的に単体で存在していてもよく、あるいは二つ以上のユニットが一つのユニットに統合されてもよい。
【０２６８】
機能がソフトウェア機能ユニットの形で実装され、独立したプロダクトとして販売または使用されるときは、それらの機能はコンピュータ可読記憶媒体において記憶されてもよい。そのような理解に基づいて、本発明の実施形態における技術的解決策、あるいは従来技術に貢献する部分または技術的解決策の一部は、ソフトウェア・プロダクトの形で実装されてもよい。コンピュータ・ソフトウェア・プロダクトは記憶媒体に記憶され、本発明の実施形態において記載された方法の段階の全部または一部を実行するようコンピュータ装置（これはパーソナル・コンピュータ、サーバー、ネットワーク装置などでありうる）に命令するためのいくつかの命令を含む。上記の記憶媒体は、プログラム・コードを記憶することのできる任意の媒体、たとえばUSBフラッシュドライブ、リムーバブルハードディスク、読み出し専用メモリ（Read-Only  Memory、ROM）、ランダムアクセスメモリ（Random  Access  Memory、RAM）、磁気ディスクまたは光ディスクを含む。
【０２６９】
上記の記述は単に本発明の具体的実装であり、本発明の保護範囲を限定することは意図されていない。本発明において開示されている技術的範囲内で当業者によって容易に割り出されるいかなる変形または置換も、本発明の保護範囲内にはいる。したがって、本発明の保護範囲は、請求項の保護範囲に従う。
【図１】
2019530263.tif 000005
【図２】
2019530263.tif 000006
【図３】
2019530263.tif 000007
【図４】
2019530263.tif 000008
【図５】
2019530263.tif 000009
【図６】
2019530263.tif 000010
【図７】
2019530263.tif 000011
【図８】
2019530263.tif 000012
【図９】
2019530263.tif 000013
【図１０】
2019530263.tif 000014
【図１１】
2019530263.tif 000015
【図１２】
2019530263.tif 000016
【図１３】
2019530263.tif 000017
【図１４】
2019530263.tif 000018
【図１５】
2019530263.tif 000019
【図１６】
2019530263.tif 000020
【図１７】
2019530263.tif 000021
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
無線通信方法であって、当該方法は：
端末装置によって、第一のチャネルまたは第一の信号のために第一の時間単位内で使われるN個の第一ポートに基づいて、第二のチャネルまたは第二の信号のために前記第一の時間単位内で使われるM個の第二ポートを決定する段階であって、T≧N≧1、T≧M≧1であり、Tは送信中に前記端末装置によって同時に使用可能なポートの最大数である、段階と；
前記端末装置によって、前記第一の時間単位内に、前記第一のチャネルまたは前記第一の信号を前記N個の第一ポートを使って送り、前記端末装置によって、前記第一の時間単位内に、前記第二のチャネルまたは前記第二の信号を前記M個の第二ポートを使って送る段階とを含む、
方法。
【請求項２】
当該方法がさらに：
前記端末装置によって、少なくとも二つの第一ポート群を決定する段階であって、各第一ポート群は、前記第一のチャネルまたは前記第一の信号のために使われる少なくとも一つのポートを含み、各第一ポート群に含まれるポートの数は前記最大数T以下である、段階と；
前記端末装置によって、少なくとも二つの第二ポート群を決定する段階であって、各第二ポート群は、前記第二のチャネルまたは前記第二の信号のために使われる少なくとも一つのポートを含み、各第二ポート群に含まれるポートの数は前記最大数T以下である、段階と；
前記端末装置によって、マッピング関係情報を取得する段階であって、前記マッピング関係情報は、前記少なくとも二つの第一ポート群と前記少なくとも二つの第二ポート群との間の一対一対応を示すために使われる、段階とを含み；
端末装置によって、第一のチャネルまたは第一の信号のために第一の時間単位内で使われるN個の第一ポートに基づいて、第二のチャネルまたは第二の信号に前記第一の時間単位内で対応するM個の第二ポートを決定する前記段階は：
前記端末装置によって、前記少なくとも二つの第一ポート群から目標第一ポート群を決定する段階であって、前記N個の第一ポートは同じポート群に属し、前記目標第一ポート群は前記N個の第一ポートを含む、段階と；
前記端末装置によって、前記マッピング関係情報に基づいて、前記少なくとも二つの第二ポート群から、前記目標第一ポート群に対応する目標第二ポート群を決定する段階と；
前記端末装置によって、前記目標第二ポート群から前記M個の第二ポートを決定する段階とを含む、
請求項１記載の方法。
【請求項３】
当該方法がさらに：
前記端末装置によって、ネットワーク装置によって送られた、前記第二のチャネルまたは前記第二の信号についての信号情報を受信する段階であって、前記信号情報は前記M個の第二ポートに基づいて前記ネットワーク装置によって決定されたものである、段階を含み；
前記端末装置によって、前記第一の時間単位内に、前記第二のチャネルまたは前記第二の信号を前記M個の第二ポートを使って送ることは：
前記端末装置によって、前記第一の時間単位内に、前記第二のチャネルまたは前記第二の信号を前記M個の第二ポートを使って前記信号情報に基づいて送ることを含む、
請求項１または２記載の方法。
【請求項４】
当該方法がさらに：
前記端末装置によって、第一の指示情報を前記ネットワーク装置に送る段階を含み、前記第一の指示情報は、チャネルまたは信号の送信の間に前記端末装置によって同時に使用可能なポートの前記最大数Tを示すために使われる、
請求項１ないし３のうちいずれか一項記載の方法。
【請求項５】
当該方法がさらに：
前記端末装置によって、前記ネットワーク装置によって送られた第二の指示情報を受信する段階であって、前記第二の指示情報は、前記N個の第一ポートを示すために使われる、段階と；
前記端末装置によって、前記第二の指示情報に基づいて前記N個の第一ポートを決定する段階とを含む、
請求項１ないし４のうちいずれか一項記載の方法。
【請求項６】
無線通信装置であって、当該装置は：
第一のチャネルまたは第一の信号のために第一の時間単位内で使われるN個の第一ポートに基づいて、第二のチャネルまたは第二の信号のために前記第一の時間単位内で使われるM個の第二ポートを決定するよう構成された決定ユニットであって、T≧N≧1、T≧M≧1であり、Tは送信中に前記端末装置によって同時に使用可能なポートの最大数である、決定ユニットと；
前記第一の時間単位内に、前記第一のチャネルまたは前記第一の信号を前記N個の第一ポートを使って送り、前記第一の時間単位内に、前記第二のチャネルまたは前記第二の信号を前記M個の第二ポートを使って送るよう構成されている通信ユニットとを有する、
装置。
【請求項７】
前記決定ユニットは：少なくとも二つの第一ポート群を決定する段階であって、各第一ポート群は、前記第一のチャネルまたは前記第一の信号のために使われる少なくとも一つのポートを含み、各第一ポート群に含まれるポートの数は前記最大数T以下である、段階と；
少なくとも二つの第二ポート群を決定する段階であって、各第二ポート群は、前記第二のチャネルまたは前記第二の信号のために使われる少なくとも一つのポートを含み、各第二ポート群に含まれるポートの数は前記最大数T以下である、段階と；
マッピング関係情報を取得する段階であって、前記マッピング関係情報は、前記少なくとも二つの第一ポート群と前記少なくとも二つの第二ポート群との間の一対一対応を示すために使われる、段階と；
前記少なくとも二つの第一ポート群から目標第一ポート群を決定する段階であって、前記N個の第一ポートは同じポート群に属し、前記目標第一ポート群は前記N個の第一ポートを含む、段階と；
前記マッピング関係情報に基づいて、前記少なくとも二つの第二ポート群から、前記目標第一ポート群に対応する目標第二ポート群を決定する段階と；
前記目標第二ポート群から前記M個の第二ポートを決定する段階とを実行するよう構成されている、
請求項６記載の装置。
【請求項８】
前記通信ユニットは：ネットワーク装置によって送られた、前記第二のチャネルまたは前記第二の信号についての信号情報を受信する段階であって、前記信号情報は前記M個の第二ポートに基づいて前記ネットワーク装置によって決定されたものである、段階と；
前記第一の時間単位内に、前記第二のチャネルまたは前記第二の信号を前記M個の第二ポートを使うことによって前記信号情報に基づいて送る段階とを実行するよう構成されている、
請求項６または７記載の装置。
【請求項９】
前記通信ユニットは、第一の指示情報を前記ネットワーク装置に送るよう構成され、前記第一の指示情報は、チャネルまたは信号の送信の間に前記端末装置によって同時に使用可能なポートの前記最大数Tを示すために使われる、請求項６ないし８のうちいずれか一項記載の装置。
【請求項１０】
前記通信ユニットは、前記ネットワーク装置によって送られた第二の指示情報を受信するよう構成され、前記第二の指示情報は、前記N個の第一ポートを示すために使われ；
前記決定ユニットは、前記第二の指示情報に基づいて前記N個の第一ポートを決定するよう構成される、
請求項６ないし９のうちいずれか一項記載の装置。
【請求項１１】
無線通信装置であって、当該装置は：
端末装置の第一のチャネルまたは第一の信号のために第一の時間単位内で使われるN個の第一ポートに基づいて、前記端末装置の第二のチャネルまたは第二の信号のために前記第一の時間単位内で使われるM個の第二ポートを決定する段階であって、T≧N≧1、T≧M≧1であり、Tは送信中に前記端末装置によって同時に使用可能なポートの最大数である、段階と；
前記M個の第二ポートに基づいて、前記第二のチャネルまたは前記第二の信号についての信号情報を決定する段階を実行するよう構成された決定ユニットと；
前記信号情報を前記端末装置に送る段階と；
前記端末装置によって送られた前記第一のチャネルまたは前記第一の信号および前記端末装置によって送られた前記第二のチャネルまたは前記第二の信号を、前記第一の時間単位内に受信する段階であって、前記第一のチャネルまたは前記第一の信号は前記端末装置によって前記N個の第一ポートを使って送られ、前記第二のチャネルまたは前記第二の信号は前記端末装置によって前記M個の第二ポートを使って前記信号情報に基づいて送られる、段階とを実行するよう構成された通信ユニットとを有する、
装置。
【請求項１２】
前記決定ユニットは：少なくとも二つの第一ポート群を決定する段階であって、各第一ポート群は、前記第一のチャネルまたは前記第一の信号のために使われる、前記端末装置の少なくとも一つのポートを含み、各第一ポート群に含まれるポートの数は前記最大数T以下である、段階と；
少なくとも二つの第二ポート群を決定する段階であって、各第二ポート群は、前記第二のチャネルまたは前記第二の信号のために使われる、前記端末装置の少なくとも一つのポートを含み、各第二ポート群に含まれるポートの数は前記最大数T以下である、段階と；
マッピング関係情報を取得する段階であって、前記マッピング関係情報は、前記少なくとも二つの第一ポート群と前記少なくとも二つの第二ポート群との間の一対一対応を示すために使われる、段階と；
前記少なくとも二つの第一ポート群から目標第一ポート群を決定する段階であって、前記N個の第一ポートは同じポート群に属し、前記目標第一ポート群は前記N個の第一ポートを含む、段階と；
前記マッピング関係情報に基づいて、前記少なくとも二つの第二ポート群から、前記目標第一ポート群に対応する目標第二ポート群を決定する段階と；
前記目標第二ポート群から前記M個の第二ポートを決定する段階とを実行するよう構成されている、
請求項１１記載の装置。
【請求項１３】
前記通信ユニットは、前記端末装置によって送られた第一の指示情報を受信するよう構成され、前記第一の指示情報は、チャネルまたは信号の送信の間に前記端末装置によって同時に使用可能なポートの前記最大数Tを示すために使われ；
前記決定ユニットは、前記第一の指示情報に基づいて前記最大数Tを決定するよう構成される、
請求項１１または１２記載の装置。
【請求項１４】
前記通信ユニットは、第二の指示情報を前記端末装置に送るよう構成され、前記第二の指示情報は、前記N個の第一ポートを示すために使われる、請求項１１ないし１３のうちいずれか一項記載の装置。
【請求項１５】
前記通信ユニットは、前記第一の時間単位の第一の時間期間内に、前記第一のチャネルまたは前記第一の信号を受信し、前記第一の時間単位の第二の時間期間内に前記第二のチャネルまたは前記第二の信号を受信するよう構成されている、請求項１１ないし１４のうちいずれか一項記載の装置。
【国際調査報告】
2019530263.tif 000022
2019530263.tif 000023
2019530263.tif 000024
2019530263.tif 000025